(57)【特許請求の範囲】
【請求項１】
情報を記憶する記憶手段と、
該記憶手段への情報の記憶及び該記憶手段に記憶されている情報の削除を制御する制御手段とを有する記憶制御装置であって、
上記記憶手段に情報が記憶された時点で、該情報の優先レベルの識別子を所定の初期レベル値に設定し、その後所定時刻毎に、該情報が記憶された時点からの上記記憶制御装置の位置の変化の程度に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
記憶制御装置。
【請求項２】
情報を記憶する記憶手段と、
該記憶手段への情報の記憶及び該記憶手段に記憶されている情報の削除を制御する制御手段とを有する記憶制御装置であって、
上記記憶手段に情報が記憶された時点で、該情報の優先レベルの識別子を所定の初期レベル値に設定し、その後所定時刻毎に、該情報が記憶された時点からの上記記憶制御装置の移動距離に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
記憶制御装置。
【請求項３】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する記憶制御装置であって、
上記記憶手段に情報が記憶された時点で、該情報の優先レベルの識別子を所定の初期レベル値に設定し、その後所定時刻毎に、該情報が記憶された時点からの上記記憶制御装置の位置の変化の程度に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
記憶制御装置。
【請求項４】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する記憶制御装置であって、
上記記憶手段に情報が記憶された時点で、該情報の優先レベルの識別子を所定の初期レベル値に設定し、その後所定時刻毎に、該情報が記憶された時点からの上記記憶制御装置の移動距離に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
記憶制御装置。
【請求項５】
情報を記憶する記憶手段と、
該記憶手段への情報の記憶及び該記憶手段に記憶されている情報の削除を制御する制御手段と
を有する記憶制御装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記記憶制御装置の位置の変化の程度及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
記憶制御装置。
【請求項６】
情報を記憶する記憶手段と、
該記憶手段への情報の記憶及び該記憶手段に記憶されている情報の削除を制御する制御手段と
を有する記憶制御装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記記憶制御装置の移動距離及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
記憶制御装置。
【請求項７】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する記憶制御装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記記憶制御装置の位置の変化の程度及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
記憶制御装置。
【請求項８】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する記憶制御装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記記憶制御装置の移動距離及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
記憶制御装置。
【請求項９】
情報を記憶する記憶手段と、
該記憶手段への情報の記憶及び該記憶手段に記憶されている情報の削除を制御する制御手段と
を有する移動体端末装置であって、
上記記憶手段に情報が記憶された時点で、該情報の優先レベルの識別子を所定の初期レベル値に設定し、その後所定時刻毎に、該情報が記憶された時点からの上記移動体端末装置の位置の変化の程度に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体端末装置。
【請求項１０】
情報を記憶する記憶手段と、
該記憶手段への情報の記憶及び該記憶手段に記憶されている情報の削除を制御する制御手段と
を有する移動体端末装置であって、
上記記憶手段に情報が記憶された時点で、該情報の優先レベルの識別子を所定の初期レベル値に設定し、その後所定時刻毎に、該情報が記憶された時点からの上記移動体端末装置の移動距離に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体端末装置。
【請求項１１】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体端末装置であって、
上記記憶手段に情報が記憶された時点で、該情報の優先レベルの識別子を所定の初期レベル値に設定し、その後所定時刻毎に、該情報が記憶された時点からの上記移動体端末装置の位置の変化の程度に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体端末装置。
【請求項１２】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体端末装置であって、
上記記憶手段に情報が記憶された時点で、該情報の優先レベルの識別子を所定の初期レベル値に設定し、その後所定時刻毎に、該情報が記憶された時点からの上記移動体端末装置の移動距離に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体端末装置。
【請求項１３】
情報を記憶する記憶手段と、
該記憶手段への情報の記憶及び該記憶手段に記憶されている情報の削除を制御する制御手段と
を有する移動体端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体端末装置の位置の変化の程度及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体端末装置。
【請求項１４】
情報を記憶する記憶手段と、
該記憶手段への情報の記憶及び該記憶手段に記憶されている情報の削除を制御する制御手段と
を有する移動体端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体端末装置の移動距離及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体端末装置。
【請求項１５】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体端末装置の位置の変化の程度及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体端末装置。
【請求項１６】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体端末装置の移動距離及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体端末装置。
【請求項１７】
情報を記憶する記憶手段と、
該記憶手段への情報の記憶及び該記憶手段に記憶されている情報の削除を制御する制御手段と
を有する移動体通信端末装置であって、
上記記憶手段に情報が記憶された時点で、該情報の優先レベルの識別子を所定の初期レベル値に設定し、その後所定時刻毎に、該情報が記憶された時点からの上記移動体通信端末装置の位置の変化の程度に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体通信端末装置。
【請求項１８】
情報を記憶する記憶手段と、
該記憶手段への情報の記憶及び該記憶手段に記憶されている情報の削除を制御する制御手段と
を有する移動体通信端末装置であって、
上記記憶手段に情報が記憶された時点で、該情報の優先レベルの識別子を所定の初期レベル値に設定し、その後所定時刻毎に、該情報が記憶された時点からの上記移動体通信端末装置の移動距離に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体通信端末装置。
【請求項１９】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段とを有する移動体通信端末装置であって、
上記記憶手段に情報が記憶された時点で、該情報の優先レベルの識別子を所定の初期レベル値に設定し、その後所定時刻毎に、該情報が記憶された時点からの上記移動体通信端末装置の位置の変化の程度に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体通信端末装置。
【請求項２０】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段とを有する移動体通信端末装置であって、
上記記憶手段に情報が記憶された時点で、該情報の優先レベルの識別子を所定の初期レベル値に設定し、その後所定時刻毎に、該情報が記憶された時点からの上記移動体通信端末装置の移動距離に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体通信端末装置。
【請求項２１】
情報を記憶する記憶手段と、
該記憶手段への情報の記憶及び該記憶手段に記憶されている情報の削除を制御する制御手段と
を有する移動体通信端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体通信端末装置の位置の変化の程度及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体通信端末装置。
【請求項２２】
情報を記憶する記憶手段と、
該記憶手段への情報の記憶及び該記憶手段に記憶されている情報の削除を制御する制御手段と
を有する移動体通信端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体通信端末装置の移動距離及び上記制御情報に応じて、上記初期レベル値を基準とした上記優先レベルの識別子のレベル値を決定し、該決定したレベル値を所定の閾値と比較することにより、該情報が重要であるか否かを判別する判別手段とを有し、
上記記憶手段における記憶可能残容量が閾値容量より少ない場合に、上記判別手段によって、上記記憶手段に記憶されている情報が重要でないと判別されたときは、該判別手段によって上記制御手段を制御して、該重要でないと判別された情報を削除する
移動体通信端末装置。
【請求項２３】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体通信端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体通信端末装置の位置の変化の程度及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体通信端末装置。
【請求項２４】
情報を記憶する記憶手段及び外部記憶手段と、
上記記憶手段への情報の記憶、該記憶手段に記憶されている情報の上記外部記憶手段への転送及び該外部記憶手段に記憶されている情報の削除を制御する制御手段と
を有する移動体通信端末装置であって、
上記記憶手段に情報が記憶された時点で、該情報の優先レベルの識別子を所定の初期レベル値に設定するとともに該初期レベル値に制御情報を付与し、その後所定時刻毎に、該情報が記憶された時点からの上記移動体通信端末装置の移動距離及び上記制御情報に応じて、上記初期レベル値を基準とした上記優先レベルの識別子のレベル値を決定し、該決定したレベル値を所定の閾値と比較することにより、該情報の重要度を判別する判別手段とを有し、
上記記憶手段における記憶可能残容量が閾値容量より少ない場合に、上記判別手段によって、上記記憶手段に記憶されている情報の重要度が低いと判別されたときは、該重要度が低いと判別された情報を外部記憶手段に転送し、上記外部記憶手段に記憶されている情報の重要度が一層低いと判別されたときは、該重要度が一層低いと判別された情報を削除する
移動体通信端末装置。
【発明の詳細な説明】
【０００１】
【発明の属する技術分野】
本発明は、記憶制御装置、移動体端末装置及び移動体通信端末装置に関する。
【０００２】
【従来の技術】
以下に、図１を参照して、従来の移動体端末装置の構成及びその記憶装置に対する情報の記憶及び削除について説明する。移動体端末装置は、例えば、携帯電話機で、図１Ａに示す如く、無線通信アンテナ１が接続された無線通信処理回路２と、記憶装置４と、表示装置７と、キーボード８と、これらを制御すると共に、電話回路を有する制御回路（ＣＰＵを備える）３とから構成される。尚、送話器及び受話器も設けられているが、これらは図示を省略する。
【０００３】
無線通信アンテナ１で受信した信号は、無線通信処理回路２で、変復調処理と復号処理とが行われた後、制御回路３に供給される。又、制御回路３からの信号は、無線通信処理回路２で、符号化処理と変復調処理とが行われて送信信号が得られ、その送信信号が無線通信アンテナ１から送信される。
【０００４】
制御回路３からの電話番号や、インターネット、無線等により受信した画像等の情報ＩＦは、キーボード８のキー操作に基づいて制御回路３から記憶装置４に供給される制御信号ＣＴによって、記憶装置４に記憶される。又、キーボード８のキー操作に基づいて制御回路３から記憶装置４に供給される制御信号ＣＴによって、記憶装置４に記憶されている電話番号や画像等の情報が読出され、又、削除される。
【０００５】
ところで、記憶装置４の記憶容量は有限であるから、記憶装置４に大量の情報が記憶されて、空き領域が残っていないときは、新たな情報を記憶しようとするときは、記憶装置４に記憶されている情報のいずれかを削除しなければならない。
【０００６】
次に、図１Ｂを参照して、図１Ａの移動体端末装置における情報削除のアルゴリズムについて説明する。ステップＳＴ−１では、記憶装置４に空き領域があるか否かを判断し、ＹＥＳのときは、ステップＳＴ−２に移行して、新たな画像等の情報を記憶装置４に書き込む（記憶する）。ステップＳＴ−１の判断でＮＯのときは、ステップＳＴ−３に移行して、最も古い画像等の情報を削除した後、ステップＳＴ−１に戻る。記憶装置４に空き領域がないときは、これを繰り返すことによって、記憶装置４に記憶されている画像等の情報は古いものから順番に削除されることになる。
【０００７】
次に、図１Ｃを参照して、図１Ａの移動体端末装置における情報削除の別のアルゴリズムについて説明する。ステップＳＴ−４では、キーボード８の削除キーを操作した後、ステップＳＴ−５に移行する。ステップＳＴ−５では、削除キーが操作された否かが判断され、ＹＥＳのときは、ステップＳＴ−６に移行し、ＮＯのときは、ステップＳＴ−７に移行する。ステップＳＴ−６では、記憶装置４に記憶されているいずれかの画像等の情報を削除した後、ステップＳＴ−７に移行する。ステップＳＴ−７では、更新すべき情報があるか否かが判断され、ＮＯであれば終わりとなり、ＹＥＳのときは、ステップＳＴ−４に戻る。
【０００８】
【発明が解決しようとする課題】
従来の移動体端末装置では、その記憶装置に記憶されている情報を削除する場合、一々削除キーを操作しなければならないので、煩雑であると共に、重要な情報が誤って削除されたり、あまり重要でない情報が削除されずに残ったりする可能性が高い。そして、記憶装置に記憶されている情報の数が多い場合には、その記憶されている情報の重要度を判別するのは甚だ困難である。
【０００９】
かかる点に鑑み、本発明は、情報を記憶する記憶手段と、その記憶手段への情報の記憶及びその記憶手段に記憶されている情報の削除を制御する制御手段とを有する記憶制御装置（移動体端末装置）（移動体通信端末装置）において、記憶手段に記憶されている情報が、その記憶時点の後の任意の時点で重要であるか否かを自動的に判別して、記憶手段における記憶可能残容量が閾値容量より少ない場合には、その記憶時点の後の任意の時点で重要でないと判別された情報を記憶手段から自動的に削除することのできるものを提案しようとするものである。
【００１０】
【課題を解決するための手段】
第１の発明は、情報を記憶する記憶手段と、その記憶手段への情報の記憶及びその記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定し、その後所定時刻毎に、その情報が記憶された時点からの記憶制御装置（又は移動体端末装置）（又は移動体通信端末装置）の位置の変化の程度又は移動距離に応じて、初期レベル値を基準とした優先レベルの識別子のレベル値を決定し、決定したレベル値を所定の閾値と比較することにより、その情報が重要であるか否かを判別する判別手段とを有し、記憶手段における記憶可能残容量が閾値容量より少ない場合に、判別手段によって、記憶手段に記憶されている情報が重要でないと判別されたときは、その判別手段によって制御手段を制御して、その重要でないと判別された情報を削除するようにした記憶制御装置（又は移動体端末装置）（又は移動体通信端末装置）である。
【００１１】
第１の発明によれば、記憶手段に記憶されている情報が、その記憶時点の後の時点で重要であるか否かを、判別手段によって、記憶手段に情報が記憶された時点で、その情報の優先レベルの識別子を所定の初期レベル値に設定し、その後所定時刻毎に、その情報が記憶された時点からの記憶制御装置（又は移動体端末装置）（又は移動体通信端末装置）の位置の変化の程度又は移動距離に応じて、初期レベル値を基準とした優先レベルの識別子のレベル値を決定し、決定したレベル値を所定の閾値と比較することにより判別し、記憶手段における記憶可能残容量が閾値容量より少ない場合に、判別手段によって、記憶手段に記憶されている情報が重要でないと判別されたときは、その判別手段によって制御手段を制御して、その重要でないと判別された情報を削除する。
【００１３】
第２の発明は、情報を記憶する記憶手段及び外部記憶手段と、記憶手段への情報の記憶、その記憶手段に記憶されている情報の外部記憶手段への転送及びその外部記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定し、その後所定時刻毎に、その情報が記憶された時点からの記憶制御装置（又は移動体端末装置）（又は移動体通信端末装置）の位置の変化の程度又は移動距離に応じて、初期レベル値を基準とした優先レベルの識別子のレベル値を決定し、決定したレベル値を所定の閾値と比較することにより、その情報の重要度を判別する判別手段とを有し、記憶手段における記憶可能残容量が閾値容量より少ない場合に、判別手段によって、記憶手段に記憶されている情報の重要度が低いと判別されたときは、その重要度が低いと判別された情報を外部記憶手段に転送し、外部記憶手段に記憶されている情報の重要度が一層低いと判別されたときは、その重要度が一層低いと判別された情報を削除するようにした記憶制御装置（又は移動体端末装置）（又は移動体通信端末装置）である。
【００１４】
第３の発明は、情報を記憶する記憶手段と、その記憶手段への情報の記憶及びその記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定するとともに初期レベル値に制御情報を付与し、その後所定時刻毎に、その情報が記憶された時点からの記憶制御装置（又は移動体端末装置）（又は移動体通信端末装置）の位置の変化の程度又は移動距離及び制御情報に応じて、初期レベル値を基準とした優先レベルの識別子のレベル値を決定し、決定したレベル値を所定の閾値と比較することにより、その情報が重要であるか否かを判別する判別手段とを有し、記憶手段における記憶可能残容量が閾値容量より少ない場合に、判別手段によって、記憶手段に記憶されている情報が重要でないと判別されたときは、その判別手段によって制御手段を制御して、その重要でないと判別された情報を削除するようにした記憶制御装置（又は移動体端末装置）（又は移動体通信端末装置）である。
【００１５】
第４の発明は、情報を記憶する記憶手段及び外部記憶手段と、記憶手段への情報の記憶、その記憶手段に記憶されている情報の外部記憶手段への転送及びその外部記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定するとともに初期レベル値に制御情報を付与し、その後所定時刻毎に、その情報が記憶された時点からの記憶制御装置（又は移動体端末装置）（又は移動体通信端末装置）の位置の変化の程度又は移動距離及び制御情報に応じて、初期レベル値を基準とした優先レベルの識別子のレベル値を決定し、決定したレベル値を所定の閾値と比較することにより、その情報の重要度を判別する判別手段とを有し、記憶手段における記憶可能残容量が閾値容量より少ない場合に、判別手段によって、記憶手段に記憶されている情報の重要度が低いと判別されたときは、その重要度が低いと判別された情報を外部記憶手段に転送し、外部記憶手段に記憶されている情報の重要度が一層低いと判別されたときは、その重要度が一層低いと判別された情報を削除するようにした記憶制御装置（又は移動体端末装置）（又は移動体通信端末装置）である。
【００１７】
【発明の実施の形態】
以下に、図２を参照して、本発明の実施の形態の移動体端末装置（記憶制御装置）（移動体通信端末装置）の一例の構成を説明する。この移動体端末装置は、無線通信アンテナ１が接続された無線通信処理回路２と、ＧＰＳアンテナ５が接続されたＧＰＳ（Global Positioning System)受信処理回路６と、記憶装置４と、表示装置７と、キーボード８と、これらを制御すると共に、電話回路を有する制御回路（ＣＰＵを備える）３とから構成される。ＧＰＳは、Global Position-ing Systemの略である。尚、送話器及び受話器も設けられているが、これらは図示を省略する。
【００１８】
無線通信アンテナ１で受信した受信信号は、無線通信処理回路２で、変復調処理と復号処理とが行われた後、制御回路３に供給される。又、制御回路３からの信号は、無線通信処理回路２で、符号化処理と変復調処理とが行われて送信信号が得られ、その送信信号が無線通信アンテナ１から送信される。
【００１９】
ＧＰＳアンテナ５で受信した複数の衛星からの受信信号が、ＧＰＳ受信処理回路６に供給されて復調処理及び復号処理が行われて、移動体端末装置の位置情報（経度及び緯度）信号及びその位置情報に対応した時刻情報信号が得られ、これらが制御回路３に供給される。
【００２０】
記憶装置４には、キーボード８の操作に基づいて制御回路３から記憶装置４に供給される制御信号ＣＴによって、電話番号やインターネット、無線等により受信した画像等の情報ＩＦが記憶される。又、キーボード８のキー操作に基づいて制御回路３から記憶装置４に供給される制御信号ＣＴによって、記憶装置４に記憶されている電話番号や画像等の情報ＩＦが読出され、又、削除される。
【００２１】
図３は、本発明の実施の形態の移動体端末装置（記憶制御装置）（移動体通信端末装置）の他の例の構成を示し、図２の移動体端末装置（記憶制御装置）（移動体通信装置）の構成に加えて、記憶装置４からの画像等の情報が転送されるハードディスク、記録可能光ディスク、光磁気ディスク、磁気ディスク、半導体メモリ等の外部記憶装置９が設けられている。
【００２２】
キーボード８の操作に基づいて制御回路３から記憶装置４に供給される制御信号ＣＴ１によって、記憶装置４に、電話番号やインターネット、無線等により受信した画像等の情報ＩＦが記憶され、又、記憶装置４に記憶されている電話番号や画像等の情報ＩＦが読出され、削除され、又、画像等の情報ＩＦが外部記憶装置９に転送される。
【００２３】
キーボード８の操作に基づいて制御回路３から外部記憶装置９に供給される制御信号ＣＴ２によって、記憶装置４から転送される画像等の情報が外部記憶装置９に記憶され、又、外部記憶装置９に記憶されている画像等の情報が読出され、又、削除される。
【００２４】
次に、図４Ａのフローチャートを参照して、記憶装置４に記憶されている情報を削除しようとする場合の、情報が重要であるか否か、即ち、情報の重要度を、移動体端末装置の位置から判断し、重要度の低い情報、即ち、重要でない情報は削除するようにした情報の削除の例を説明する。
【００２５】
ステップＳＴ−１１では、キーボード８の記憶キーを操作し、制御回路３の制御の下に、必要な画像等の情報と、ＧＰＳ受信処理回路６から取得した、記憶装置４に情報を記憶させたときの移動体端末装置の位置（初期位置）（位置の初期値）とを、記憶装置４に書き込んで記憶させた後、ステップＳＴ−１２に移行する。ステップＳＴ−１２では、記憶装置４に情報を記憶させたときよりの後の任意の時点（所定時間置きの時点）で、ＧＰＳ受信処理回路６から移動体端末装置の位置を取得した後、ステップＳＴ−１３に移行する。
【００２６】
ステップＳＴ−１３では、制御回路３のＣＰＵが、記憶装置４に情報を記憶させたときの移動体端末装置の位置（初期位置）（位置の初期値）を基にして、位置移動体端末装置の位置（現在位置）から、その情報は重要であるか否かを判断し、ＹＥＳ、即ち、重要であるときは、ステップＳＴ−１２に戻る。又、ステップＳＴ−１３の判断でＮＯのとき、即ち、その情報が重要でないときは、その情報を削除した後、ステップＳＴ−１１に戻る。以下、これを記憶装置に記憶される各情報毎に繰り返す。
【００２７】
ステップＳＴ−１４で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図４Ａのフローチャートにおいて、ステップＳＴ−１１、ＳＴ−１２間、ステップＳＴ−１２、ＳＴ−１３間又はステップＳＴ−１３、ＳＴ−１４間に挿入し、ＹＥＳのときは、ステップＳＴ−１２、ＳＴ−１３又はＳＴ−１４に移行し、ＮＯのときは、ステップＳＴ−１１の直後に移行する。図１６の判別処理のステップＳＴ−Ｘを、ステップＳＴ−１１及びＳＴ−１２間に挿入した場合は、ステップＳＴ−１３においてＹＥＳのときは、ステップＳＴ−Ｘに戻るようにする。
【００２８】
次に、図４Ａにおける情報及びその削除の具体例について述べる。ある地域Ａ（例えば、東京都）のある飲食店ａの情報（画像）（飲食店の名称、住所、案内図、種類、メニュー等を示す画像）が、その地域Ａのある固定情報端末装置（例えば、建物等の中に設置されている）から取得されて、記憶装置４に記憶されている場合に、その移動体端末装置を持っている人が、その地域Ａから、所定距離（所定直線距離）以上離れた別の地域Ｂ（例えば、大阪府）にいる場合、その地域Ａの飲食店ａの情報は、重要でないと判断して削除する。
【００２９】
記憶装置４に記憶されているある地域Ａの同じ種類の情報、即ち、例えば、飲食店ａ、ｂ、ｃ、‥‥‥‥‥‥ｘ、ｙ、ｚの情報が複数ある場合に、これらの情報が重要でないと判断したときは、これらの情報を、まとめて削除するようにしても良い。
【００３０】
次に、図４Ｂのフローチャートを参照して、記憶装置４に記憶されている情報を削除しようとする場合の、情報が重要であるか否か、即ち、情報の重要度を、現在時刻から判断して、重要度の低い情報、即ち、重要でない情報は削除するようにした情報の削除の例を説明する。
【００３１】
ステップＳＴ−２１では、キーボード８の記憶キーを操作し、制御回路３の制御の下に、必要な情報と、移動体端末装置の時計手段から得た、記憶装置４に情報を記憶したときの時刻（時刻の初期値）（初期時刻）とを記憶装置４に書き込んで記憶させた後、ステップＳＴ−２２に移行する。ステップＳＴ−２２では、移動体端末装置の時計手段から、記憶装置４に情報を記憶したときの時刻（時刻の初期値）（初期時刻）より後の任意の現在時刻（所定時間置きの時刻）を取得した後、ステップＳＴ−２３に移行する。
【００３２】
ステップＳＴ−２３では、制御回路３のＣＰＵが、情報を記憶装置４に記憶したときの時刻（時刻の初期値）（初期時刻）を基にして、現在時刻から、その情報は重要であるか否かを判断し、ＹＥＳ、即ち、重要であるときは、ステップＳＴ−１２に戻る。又、ステップＳＴ−１３の判断でＮＯのときは、その情報を削除した後、ステップＳＴ−２１に戻る。以下、これを、記憶装置４に記憶する各情報毎に繰り返すものである。
【００３３】
ステップＳＴ−２４で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図４Ｂのフローチャートにおいて、ステップＳＴ−２１、ＳＴ−２２間、ステップＳＴ−２２、ＳＴ−２３間又はステップＳＴ−２３、ＳＴ−２４間に挿入し、ＹＥＳのときは、ステップＳＴ−２２、ＳＴ−２３又はＳＴ−２４に移行し、ＮＯのときは、ステップＳＴ−２１の直後に移行する。図１６の判別処理のステップＳＴ−Ｘを、ステップＳＴ−２１及びＳＴ−２２間に挿入した場合は、ステップＳＴ−２３においてＹＥＳのときは、ステップＳＴ−Ｘに戻るようにする。
【００３４】
次に、図４Ｂにおける情報の具体例について述べる。時刻Ｈに、インターネットから取得したニュース情報（画像）ｈが記憶装置４に記憶されている場合に、現在時刻が時刻Ｈから２４時間以上経過しているときは、そのニュース情報を、記憶装置４から削除する。
【００３５】
時刻Ｈ1 、Ｈ2 、Ｈ3 、‥‥‥‥‥‥、Ｈｎにおいて取得した同じ種類の情報、即ち、例えば、ニュース情報ｈ1 、ｈ2 、ｈ3 、‥‥‥‥‥‥、ｈｎが記憶装置４に記憶されている場合に、取得された現在時刻Ｈが、時刻Ｈ1 〜Ｈｎと比較して、２４時間以上経過しているときは、これらの情報の重要が重要でないと判断して、これらの情報をそれぞれ削除する。
【００３６】
又、記憶装置４に記憶されているある地域のある飲食店の情報が、取得してから１年以上経過しているときは、その情報は重要でないと判断して、記憶装置４から削除する。
【００３７】
次に、図５のフローチャートを参照して、記憶装置４に記憶されている情報を削除しようとする場合の、情報が重要であるか否か、即ち、情報の重要度を、移動体端末装置の移動距離から判断して、重要度の低い情報、即ち、重要でない情報は削除するようにした情報の削除の例を説明する。
【００３８】
ステップＳＴ−３１では、キーボード８の記憶キーを操作し、制御回路３の制御の下に、必要な情報と、ＧＰＳ受信処理回路６か得た位置情報（緯度及び経度）及びそれに対応した時刻情報に基づいて、制御回路３のＣＰＵが演算して得た、情報を記憶装置４に記憶したときの時刻及び移動体端末装置の移動速度（移動速度の初期値）（初期移動速度）とを記憶装置４に書き込んで記憶させた後、ステップＳＴ−３２に移行する。
【００３９】
ステップＳＴ−３２では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−３３に移行する。ステップＳＴ−３３では、ステップＳＴ−３２で取得した移動体端末装置の移動時間と、その間の移動速度から、制御回路３のＣＰＵが、移動体端末装置の移動距離を算出した後、ステップＳＴ−３４に移行する。
【００４０】
ステップＳＴ−３４では、移動体端末装置の移動距離から、情報が重要か否かを判断し、ＹＥＳ、即ち、重要であると判断したときは、ステップＳＴ−３２に戻り、ＮＯ即ち、重要でないと判断したときは、ステップＳＴ−３５に移行して、その情報を削除する。
【００４１】
ステップＳＴ−３５で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図５のフローチャートにおいて、ステップＳＴ−３１、ＳＴ−３２間、ステップＳＴ−３２、ＳＴ−３３間、ステップＳＴ−３３、ＳＴ−３４間又はステップＳＴ−３４、ＳＴ−３５間に挿入し、ＹＥＳのときは、ステップＳＴ−３２、ＳＴ−３３、ＳＴ−３４又はＳＴ−３５に移行し、ＮＯのときは、ステップＳＴ−３１の直後に移行する。図１６の判別処理のステップＳＴ−Ｘを、ステップＳＴ−３１及びＳＴ−３２間に挿入した場合は、ステップＳＴ−３４においてＹＥＳのときは、ステップＳＴ−Ｘに戻るようにする。
【００４２】
次に、図５における情報の具体例について述べる。ある地域Ａ（例えば、横浜市）のある飲食店ａの情報（画像）が、その地域Ａのある固定情報端末装置から取得されて、記憶装置４に記憶される。そして、その移動体端末装置を持っている人が、その地域Ａ（横浜市）から、所定距離以上離れた別の地域Ｂ（例えば、名古屋市）にいる場合に、その地域Ａの飲食店ａの情報は、重要でないと判断して削除する。
【００４３】
記憶装置４に記憶されているある地域Ａの同じ種類の情報、即ち、例えば、飲食店ａ、ｂ、ｃ、‥‥‥‥‥‥ｘ、ｙ、ｚの情報が複数ある場合に、その移動体端末装置を持っている人が、その地域Ａから、所定距離以上離れた別の地域Ｂにいる場合に、その飲食店ａ、ｂ、ｃ、‥‥‥‥‥‥ｘ、ｙ、ｚの情報は、重要でないと判断して削除する。
【００４４】
次に、図６Ａのフローチャートを参照して、記憶装置４に記憶されている情報を削除しようとする場合の、情報が重要であるか否か、即ち、情報の重要度を、移動体端末装置の位置に応じた優先レベルの識別子で表し、優先レベルの識別子のレベル値が閾値以下のときは、その情報を削除するようにした情報の削除の例を説明する。
【００４５】
ステップＳＴ−４１では、キーボード８の記憶キーを操作し、制御回路３の制御の下に、必要な情報と、ＧＰＳ受信処理回路６から取得した、記憶装置４に情報を記憶させたときの移動体端末装置の位置（初期位置）（位置の初期値）とを、記憶装置４に書き込んで記憶させた後、ステップＳＴ−４２に移行する。ステップＳＴ−４２では、記憶装置４に書き込んだ情報の優先レベルの識別子を初期値（初期レベル値）に設定した後、ステップＳＴ−４３に移行する。
【００４６】
ステップＳＴ−４３では、記憶装置４に情報を記憶させたときよりの後の任意の時刻（所定時刻毎）における移動体端末装置の位置を、ＧＰＳ受信処理回路６から取得した後、ステップＳＴ−４４に移行する。ステップＳＴ−４４では、記憶装置４に情報を記憶させたときの移動体端末装置の位置（初期位置）（位置の初期値）に基づいて、取得された移動体端末装置の位置から、優先レベルの識別子のレベル値（初期値レベルと同じ場合もあるし、異なる場合もある）を決定した後、ステップＳＴ−４５に移行する。
【００４７】
ステップＳＴ−４５では、ステップＳＴ−４４で決定された優先レベルの識別子のレベル値が、閾値以下か否かを判断し、ＮＯ、即ち、閾値を越えるときは、ステップＳＴ−４３に戻り、ＹＥＳ、即ち、閾値以下のときは、ステップＳＴ−４６に移行して、その情報を削除した後、ステップＳＴ−４１に戻る。以下、これを繰り返すものである。
【００４８】
ステップＳＴ−４６で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図６Ａのフローチャートにおいて、ステップＳＴ−４１、ＳＴ−４２間、ステップＳＴ−４２、ＳＴ−４３間、ステップＳＴ−４３、ＳＴ−４４間、ステップＳＴ−４４、ＳＴ−４５間又はステップＳＴ−４５、ＳＴ−４６間に挿入し、ＹＥＳのときは、ステップＳＴ−４２、ＳＴ−４３、ＳＴ−４４、ＳＴ−４５又はＳＴ−４６に移行し、ＮＯのときは、ステップＳＴ−４１の直後に移行する。図１６の判別処理のステップＳＴ−Ｘを、ステップＳＴ−４２及びＳＴ−４３間に挿入した場合は、ステップＳＴ−４５においてＮＯのときは、ステップＳＴ−Ｘに戻るようにする。
【００４９】
尚、ステップＳＴ−４５では、識別子のレベル値が閾値以上か否かを判断しても良く、その場合は、ＹＥＳのときはステップＳＴ−４３に移行し、ＮＯのときはステップＳＴ−４６に移行して、情報は削除される。
【００５０】
次に、図６Ａにおける情報の具体例について述べる。ある地域Ａのある飲食店ａの情報（画像）が記憶装置４に記憶されたときの、優先レベルの識別子の初期レベル値を、例えば、１０に設定する。そして、移動体端末装置を持っている人が、その地域Ａから、所定距離以上離れた別の地域Ｂにいる場合、その地域Ａの飲食店ａの情報に対応する優先レベルの識別子のレベル値を、例えば、４に決定する。この場合、優先レベルの識別子の閾値レベルを、例えば、５とすると、その地域Ａの飲食店ａの情報は削除されることになる。
【００５１】
記憶装置４に記憶されているある地域Ａの同じ種類の情報、即ち、例えば、飲食店ａ、ｂ、ｃ、‥‥‥‥‥‥ｘ、ｙ、ｚの情報が複数ある場合は、これらの情報の優先レベルの識別子の初期レベル値を、例えば、同じ１０に設定する。そして、移動体端末装置を持っている人が、その地域Ａから、所定距離以上離れた別の地域Ｂにいる場合、その地域Ａの飲食店ａ、ｂ、ｃ、‥‥‥‥‥‥ｘ、ｙ、ｚの情報に対応する優先レベルの識別子のレベル値を、共に例えば、４に決定する。この場合、優先レベルの識別子の閾値レベルを、例えば、５とすると、その地域Ａの飲食店ａ、ｂ、ｃ、‥‥‥‥‥‥ｘ、ｙ、ｚの情報は、共に削除される。
【００５２】
次に、図６Ｂのフローチャートを参照して、記憶装置４に記憶されている情報を削除しようとする場合の、情報が重要であるか否か、即ち、情報の重要度を、時刻に応じた優先レベルの識別子で表し、優先レベルの識別子のレベル値が閾値以下のときは、その情報を削除するようにした情報の削除の例を説明する。
【００５３】
ステップＳＴ−５１では、キーボード８の記憶キーを操作し、制御回路３の制御の下に、必要な情報と、移動体端末装置の時計手段から得た、記憶装置４に情報を記憶したときの時刻（初期時刻）（時刻の初期値）とを、記憶装置４に書き込んで記憶させた後、ステップＳＴ−５２に移行する。ステップＳＴ−５２では、記憶装置４に書き込んだ情報の優先レベルの識別子を初期値（初期レベル値）に設定した後、ステップＳＴ−５３に移行する。
【００５４】
ステップＳＴ−５３では、移動体端末装置の時計手段から、現在時刻を取得した後、ステップＳＴ−５４に移行する。
【００５５】
ステップＳＴ−５４では、記憶装置４に情報を記憶したときの時刻を基にして、取得された現在時刻から、優先レベルの識別子のレベル値（初期値レベルと同じ場合もあるし、異なる場合もある）を決定した後、ステップＳＴ−５５に移行する。
【００５６】
ステップＳＴ−５５では、ステップＳＴ−５４で決定された優先レベルの識別子のレベル値が、閾値以下か否かを判断し、ＮＯ、即ち、閾値を越えるときは、ステップＳＴ−６３に戻り、ＹＥＳ、即ち、閾値以下のときは、ステップＳＴ−６７に移行して、その情報を削除した後、ステップＳＴ−６１に戻る。以下、これを、記憶装置４に記憶する情報毎に、繰り返すものである。
【００５７】
尚、ステップＳＴ−５５で、識別子のレベル値は閾値以上か否かを判断するようにしても良く、その場合は、ＹＥＳのときはステップＳＴ−４３に移行し、ＮＯのときは、ステップＳＴ−４６に移行して、情報を削除することになる。
【００５８】
ステップＳＴ−５６で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図６Ｂのフローチャートにおいて、ステップＳＴ−５１、ＳＴ−５２間、ステップＳＴ−５２、ＳＴ−５３間、ステップＳＴ−５３、ＳＴ−５４間、ステップＳＴ−５４、ＳＴ−５５間又はステップＳＴ−５５、ＳＴ−５６間に挿入し、ＹＥＳのときは、ステップＳＴ−５２、ＳＴ−５３、ＳＴ−５４、ＳＴ−５５又はＳＴ−５６に移行し、ＮＯのときは、ステップＳＴ−５１の直後に移行する。図１６の判別処理のステップＳＴ−Ｘを、ステップＳＴ−５２及びＳＴ−５３間に挿入した場合は、ステップＳＴ−５５においてＮＯのときは、ステップＳＴ−Ｘに戻るようにする。
【００５９】
次に、図６Ｂにおける情報の具体例について述べる。時刻Ｈに、インターネットから取得したニュース情報（画像）ｈが記憶装置４に記憶され、その時の優先レベルのレベル値の初期値（初期レベル値）を、例えば、１０とした場合に、現在時刻が時刻Ｈから２４時間以上経過しているときは、そのニュース情報の優先レベルのレベル値を、例えば、４に決定し、閾値レベルを、例えば、５とすると、そのニュース情報は、記憶装置４から削除される。
【００６０】
時刻Ｈ1 、Ｈ2 、Ｈ3 、‥‥‥‥‥‥、Ｈｎにおいて、取得したニュース情報ｈ1 、ｈ2 、ｈ3 、‥‥‥‥‥‥、ｈｎが記憶装置４に記憶され、その時の優先レベルのレベル値の初期値（初期レベル値）を、例えば、１０とした場合に、現在時刻が時刻Ｈから２４時間以上経過しているときは、そのニュース情報の優先レベルのレベル値を、例えば、４に決定し、閾値レベルを、例えば、５とすると、そのニュース情報は、記憶装置４から削除される。
【００６１】
次に、図７のフローチャートを参照して、記憶装置４に記憶されている情報を削除しようとする場合の、情報が重要であるか否か、即ち、情報の重要度を、移動体端末装置の移動距離に応じた優先レベルの識別子で表し、優先レベルの識別子のレベル値が閾値以下のときは、その情報を削除するようにした情報の削除の例を説明する。
【００６２】
ステップＳＴ−６１では、キーボード８の記憶キーを操作し、制御回路３の制御の下に、必要な情報と、ＧＰＳ受信処理回路６か得た位置情報（緯度及び経度）及びそれに対応した時刻情報に基づいて、制御回路３のＣＰＵが演算して得た、情報を記憶装置４に記憶したときの時刻及び移動体端末装置の移動速度（移動速度の初期値）（初期移動速度）とを、記憶装置４に書き込んで記憶させた後、ステップＳＴ−６２に移行する。ステップＳＴ−６２では、記憶装置４に書き込んだ情報の優先レベルの識別子を初期値（初期レベル値）に設定した後、ステップＳＴ−６３に移行する。
【００６３】
ステップＳＴ−６３では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−６４に移行する。ステップＳＴ−６４では、移動体端末装置の移動時間と、その間の移動速度から、制御回路３のＣＰＵが移動体端末装置の移動距離を算出した後、ステップＳＴ−６５に移行する。
【００６４】
ステップＳＴ−６５では、移動体端末装置の移動距離を基にして、優先レベルの識別子のレベル値（初期値レベルと同じ場合もあるし、異なる場合もある）を決定した後、ステップＳＴ−６６に移行する。
【００６５】
ステップＳＴ−６６では、ステップＳＴ−６５で決定された優先レベルの識別子のレベル値が、閾値以下か否かを判断し、ＮＯ、即ち、閾値を越えるときは、ステップＳＴ−６３に戻り、ＹＥＳ、即ち、閾値以下のときは、ステップＳＴ−６７に移行して、その情報を削除した後、ステップＳＴ−６１に戻る。以下、これを、記憶装置４に記憶する情報毎に繰り返すものである。
【００６６】
ステップＳＴ−６６では、識別子のレベル値は閾値以上か否かを判断するようにしても良く、その場合には、ＹＥＳのときは、ステップＳＴ−６３に移行し、ＮＯのときは、ステップＳＴ−６７に移行して、情報を削除することになる。
【００６７】
ステップＳＴ−６７で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図７のフローチャートにおいて、ステップＳＴ−６１、ＳＴ−６２間、ステップＳＴ−６２、ＳＴ−６３間、ステップＳＴ−６３、ＳＴ−６４間、ステップＳＴ−６４、ＳＴ−６５間、ステップＳＴ−６５、ＳＴ−６６間又はステップＳＴ−６６、ＳＴ−６７間に挿入し、ＹＥＳのときは、ステップＳＴ−６２、ＳＴ−６３、ＳＴ−６４、ＳＴ−６５、ＳＴ−６６又はＳＴ−６７に移行し、ＮＯのときは、ステップＳＴ−６１の直後に移行する。図１６の判別処理のステップＳＴ−Ｘを、ステップＳＴ−６２及びＳＴ−６３間に挿入した場合は、ステップＳＴ−６６においてＮＯのときは、ステップＳＴ−Ｘに戻るようにする。
【００６８】
次に、図７における情報の具体例について述べる。ある地域Ａのある飲食店ａの情報（画像）が、その地域のある固定情報端末装置から取得されて、記憶装置４に記憶されたときに、優先レベルの初期値レベルを１０に設定し、その移動体端末装置を持っている人が、その地域Ａから、所定距離以上離れた別の地域Ｂにいる場合、その地域Ａの飲食店ａの情報の優先レベルのレベル値を４に決定し、優先レベルの閾値レベルを５に設定したとき、飲食店ａの情報は重要でないと判断して削除する。
【００６９】
ある地域Ａの同じ種類の情報、即ち、例えば、ある飲食店ａ、ｂ、ｃ、‥‥‥‥‥‥、ｘ、ｙ、ｚの情報（画像）が、その地域のある固定情報端末装置から取得されて、記憶装置４に記憶されたときに、優先レベルの初期値レベルを共に１０に設定し、その移動体端末装置を持っている人が、その地域Ａから、所定距離以上離れた別の地域Ｂにいる場合、その地域Ａの飲食店ａ、ｂ、ｃ、‥‥‥‥‥‥、ｘ、ｙ、ｚの情報の優先レベルのレベル値を共に４に決定し、優先レベルの閾値レベルを５に設定したとき、飲食店ａ、ｂ、ｃ、‥‥‥‥‥‥、ｘ、ｙ、ｚの情報は、共に重要でないと判断して削除する。
【００７０】
次に、図８のフローチャートを参照して、記憶装置４に記憶されている情報を削除しようとする場合の情報の重要度を、移動体端末装置の位置に応じた優先レベルの識別子で表し、優先レベルの識別子のレベル値が低いときは、その情報を外部記憶装置９に転送し、もっと低いときはその情報を削除するようにした情報の削除の例を説明する。
【００７１】
ステップＳＴ−７１では、キーボード８の記憶キーを操作し、制御回路３の制御の下に、必要な情報と、ＧＰＳ受信処理回路６から取得した、記憶装置４に情報を記憶させたときの移動体端末装置の位置（初期位置）（位置の初期値）とを、記憶装置４に書き込んで記憶させた後、ステップＳＴ−７２に移行する。ステップＳＴ−７２では、記憶装置４に書き込んだ情報の優先レベルの識別子を初期値（初期レベル値）に設定した後、ステップＳＴ−７３に移行する。
【００７２】
ステップＳＴ−７３では、移動体端末装置の位置を、ＧＰＳ受信処理回路６から取得した後、ステップＳＴ−７４に移行する。ステップＳＴ−７４では、取得された移動体端末装置の位置を基にして、優先レベルの識別子のレベル値（初期値レベルと同じ場合もあるし、異なる場合もある）を決定した後、ステップＳＴ−７５に移行する。
【００７３】
ステップＳＴ−７５では、ステップＳＴ−７４で決定された優先レベルの識別子のレベル値Ｌが、Ｌ２≦Ｌか否かを判断し、ＹＥＳ、即ち、Ｌ２≦Ｌのときは、ステップＳＴ−７３に戻り、ＮＯ、即ち、Ｌ＜Ｌ２のときは、ステップＳＴ−７６に移行する。
【００７４】
ステップＳＴ−７６では、情報をハードディスク、記録可能な光ディスク、光磁気ディスク、磁気ディスク、半導体メモリ等の外部記憶装置９に転送した後、ステップＳＴ−７７に移行する。ステップＳＴ−７７では、移動体端末装置の位置を、ＧＰＳ受信処理回路６から取得した後、ステップＳＴ−７８に移行する。ステップＳＴ−７８では、取得された移動体端末装置の位置を基にして、優先レベルの識別子のレベル値（初期値レベルと同じ場合もあるし、異なる場合もある）を決定した後、ステップＳＴ−７５に移行する。
【００７５】
ステップＳＴ−７９では、識別子レベル値Ｌが、Ｌ≦Ｌ１か否かを判断し、ＮＯのときはステップＳＴ−７７に戻り、ＹＥＳのときは、ステップＳＴ−７９Ａに移行する。ステップＳＴ−７９Ａでは、外部記憶装置９に記憶されている情報を削除した後、ステップＳＴ−７１に戻る。
【００７６】
ステップＳＴ−７６で情報を、外部記憶装置９へ転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図８のフローチャートにおいて、ステップＳＴ−７１〜ＳＴ−７６における順次の隣接する処理の間のいずれかに挿入し、ＹＥＳのときは、順次のステップＳＴ−７２〜ＳＴ−７６のいずれかに移行し、ＮＯのときは、ステップＳＴ−７１の直後に移行する。図１６の判別処理のステップＳＴ−Ｘを、ステップＳＴ−７２及びＳＴ−７３間に挿入した場合は、ステップＳＴ−７５においてＮＯのときは、ステップＳＴ−Ｘに戻るようにする。
【００７７】
次に、図８における情報の具体例について述べる。ある地域Ａのある飲食店ａの情報（画像）が記憶装置４に記憶されたときの優先レベルの識別子を初期レベル値としての、例えば、１０に設定する。そして、移動体端末装置を持っている人が、その地域Ａから、所定距離以上離れた別の地域Ｂにいる場合、その地域Ａの飲食店ａの情報に対応する優先レベルの識別子のレベル値を、例えば、５に決定し、地域Ａから、地域Ｂより離れた更に別の地域Ｃにいる場合、その地域Ａの飲食店ａの情報に対応する優先レベルの識別子のレベル値を、例えば、２に決定する。そして、優先レベルの識別値の閾値レベルＬ２、Ｌ１をそれぞれ６、３に設定したとき、移動体端末装置を持っている人が、その地域Ａから、所定距離以上離れた別の地域Ｂにいる場合は、ある地域Ａのある飲食店ａの情報は、外部記憶装置９に転送され、移動体端末装置を持っている人が、地域Ａから、地域Ｂより離れた更に別の地域Ｃにいる場合、外部記憶装置９に記憶されているある地域Ａのある飲食店ａの情報は、削除される。
【００７８】
ある地域Ａの同じ種類の情報、即ち、例えば、ある飲食店ａ、ｂ、ｃ、‥‥‥‥‥‥、ｘ、ｙ、ｚの情報が記憶装置４に記憶されたときの優先レベルの識別子を初期レベル値としての、例えば、１０に設定する。そして、移動体端末装置を持っている人が、その地域Ａから、所定距離以上離れた別の地域Ｂにいる場合、その地域Ａの飲食店ａの情報に対応する優先レベルの識別子のレベル値を、例えば、５に決定し、地域Ａから、地域Ｂより離れた更に別の地域Ｃにいる場合、その地域Ａの飲食店ａの情報に対応する優先レベルの識別子のレベル値を、例えば、２に決定する。そして、優先レベルの識別値の閾値レベルＬ２、Ｌ１をそれぞれ６、３に設定したとき、移動体端末装置を持っている人が、その地域Ａから、所定距離以上離れた別の地域Ｂにいる場合は、ある地域Ａのある飲食店ａ、ｂ、ｃ、‥‥‥‥‥‥、ｘ、ｙ、ｚの情報は、共に外部記憶装置９に転送され、移動体端末装置を持っている人が、地域Ａから、地域Ｂより離れた更に別の地域Ｃにいる場合、外部記憶装置９に記憶されているある地域Ａのある飲食店ａ、ｂ、ｃ、‥‥‥‥‥‥、ｘ、ｙ、ｚの情報は、共に削除される。
【００７９】
次に、図９のフローチャートを参照して、記憶装置４に記憶されている情報を削除しようとする場合の情報の重要度を、移動体端末装置の時刻に応じた優先レベルの識別子で表し、優先レベルの識別子のレベル値が低いときは、その情報を外部記憶装置９に転送し、もっと低いときはその情報を削除するようにした情報の削除の例を説明する。
【００８０】
ステップＳＴ−８１では、キーボード８の記憶キーを操作し、制御回路３の制御の下に、必要な情報と、移動体端末装置の時計手段から得た、記憶装置４に情報を記憶したときの時刻（初期時刻）（時刻の初期値）とを、記憶装置４に書き込んで記憶させた後、ステップＳＴ−８２に移行する。ステップＳＴ−８２では、記憶装置４に書き込んだ情報の優先レベルの識別子を初期値（初期レベル値）に設定した後、ステップＳＴ−８３に移行する。
【００８１】
ステップＳＴ−８３では、移動体端末装置の時計手段から、記憶装置４に情報を記憶したときの時刻（初期時刻）（時刻の初期値）よりの後の任意の現在時刻（所定時間毎の時刻）を取得した後、ステップＳＴ−８４に移行する。
【００８２】
ステップＳＴ−８４では、取得された現在時刻を基にして、優先レベルの識別子のレベル値（初期値レベルと同じ場合もあるし、異なる場合もある）を決定した後、ステップＳＴ−８５に移行する。
【００８３】
ステップＳＴ−８５では、ステップＳＴ−７４で決定された優先レベルの識別子のレベル値Ｌが、Ｌ２≦Ｌか否かを判断し、ＹＥＳ、即ち、Ｌ２≦Ｌのときは、ステップＳＴ−８３に戻り、ＮＯ、即ち、Ｌ＜Ｌ２のときは、ステップＳＴ−８６に移行する。
【００８４】
ステップＳＴ−８６では、情報をハードディスク等の外部記憶装置９に転送した後、ステップＳＴ−８７に移行する。ステップＳＴ−８７では、移動体端末装置の時計手段から、現在時刻を取得した後、ステップＳＴ−８８に移行する。
【００８５】
ステップＳＴ−８８では、取得された現在時刻を基にして、優先レベルの識別子のレベル値（初期値レベルと同じ場合もあるし、異なる場合もある）を決定した後、ステップＳＴ−８９に移行する。
【００８６】
ステップＳＴ−８９では、ステップＳＴ−８８で決定された優先レベルの識別子のレベル値Ｌが、Ｌ≦Ｌ１か否かを判断し、ＹＥＳ、即ち、Ｌ≦Ｌ１のときは、ステップＳＴ−８９Ａに移行し、ＮＯ、即ち、Ｌ１＜Ｌのとは、ステップＳＴ−８７に移行する。
【００８７】
ステップＳＴ−８９Ａでは、外部記憶装置９に記憶されている情報を削除した後、ステップＳＴ−８１に戻る。
【００８８】
ステップＳＴ−８６で情報を外部記憶装置９に転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図９のフローチャートにおいて、ステップＳＴ−８１〜ＳＴ−８６における順次の隣接する処理の間のいずれかに挿入し、ＹＥＳのときは、順次のステップＳＴ−８２〜ＳＴ−８６のいずれかに移行し、ＮＯのときは、ステップＳＴ−８１の直後に移行する。図１６の判別処理のステップＳＴ−Ｘを、ステップＳＴ−８２及びＳＴ−８３間に挿入した場合は、ステップＳＴ−８５においてＮＯのときは、ステップＳＴ−Ｘに戻るようにする。
【００８９】
次に、図９における情報の具体例について述べる。時刻Ｈに、インターネットから取得したニュース情報（画像）ｈが記憶装置４に記憶され、その時の優先レベルのレベル値の初期値（初期レベル値）を、例えば、１０とした場合に、現在時刻が時刻Ｈから２４時間以上経過しているときは、そのニュース情報の優先レベルのレベル値を、例えば、５に決定し、現在時刻が時刻Ｈから３６時間以上経過しているときは、そのニュース情報の優先レベルのレベル値を、例えば、２に決定し、閾値レベルＬ１、Ｌ１を、それぞれ、例えば、６、３に設定する。かくすると、ニュース情報の優先レベルのレベル値が、例えば、５のときは、そのニュース情報は、外部記憶装置９に転送される。又、ニュース情報の優先レベルのレベル値が、例えば、２になったら、そのニュース情報は外部記憶装置９から削除される。
【００９０】
時刻Ｈ1 、Ｈ2 、Ｈ3 、‥‥‥‥‥‥、Ｈｎにおいて取得したニュース情報ｈ1 、ｈ2 、ｈ3 、‥‥‥‥‥‥、ｈｎが記憶装置４に記憶され、その時の優先レベルのレベル値の初期値（初期レベル値）を、例えば、１０とした場合に、現在時刻が時刻Ｈ1 、Ｈ2 、Ｈ3 、‥‥‥‥‥‥、Ｈｎから２４時間以上経過しているときは、そのニュース情報の優先レベルのレベル値を、例えば、５に決定し、現在時刻が時刻Ｈから３６時間以上経過しているときは、そのニュース情報の優先レベルのレベル値を、例えば、２に決定し、優先レベルの識別子の閾値レベルＬ２、Ｌ１を、それぞれ６、３に設定する。かくすると、ニュース情報ｈ1 、ｈ2 、ｈ3 、‥‥‥‥‥‥、ｈｎの優先レベルのレベル値が、例えば、５のときは、そのニュース情報ｈ1 、ｈ2 、ｈ3 、‥‥‥‥‥‥、ｈｎは、外部記憶装置９に転送される。又、ニュース情報ｈ1 、ｈ2 、ｈ3 、‥‥‥‥‥‥、ｈｎの優先レベルのレベル値が、例えば、２になったら、そのニュース情報ｈ1 、ｈ2 、ｈ3 、‥‥‥‥‥‥、ｈｎは外部記憶装置９から削除される。
【００９１】
次に、図１０のフローチャートを参照して、記憶装置４に記憶されている情報を削除しようとする場合の情報の重要度を、移動体端末装置の移動距離に応じた優先レベルの識別子で表し、優先レベルの識別子のレベル値が低いときは、その情報を外部記憶装置９に転送し、もっと低いときはその情報を削除するようにした情報の削除の例を説明する。
【００９２】
ステップＳＴ−９１では、キーボード８の記憶キーを操作し、制御回路３の制御の下に、必要な情報と、ＧＰＳ受信処理回路６か得た位置情報（緯度及び経度）及びそれに対応した時刻情報に基づいて、制御回路３のＣＰＵが演算して得た、情報を記憶装置４に記憶したときの時刻及び移動体端末装置の移動速度（移動速度の初期値）（初期移動速度）とを、記憶装置４に書き込んで記憶させた後、ステップＳＴ−９２に移行する。ステップＳＴ−９２では、優先レベルの識別子のレベルを初期値に設定する。
【００９３】
ステップＳＴ−９３では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−９４に移行する。ステップＳＴ−９４では、移動体端末装置の移動時間と、その間の移動速度から、制御回路３のＣＰＵが移動体端末装置の移動距離を算出した後、ステップＳＴ−９５に移行する。
【００９４】
ステップＳＴ−９５では、取得された現在時刻を基にして、優先レベルの識別子のレベル値（初期値レベルと同じ場合もあるし、異なる場合もある）を決定した後、ステップＳＴ−９６に移行する。
【００９５】
ステップＳＴ−９６では、ステップＳＴ−９５で決定された優先レベルの識別子のレベル値Ｌが、Ｌ２≦Ｌか否かを判別し、ＹＥＳのときは、ステップＳＴ−９３に戻り、ＮＯのときはステップＳＴ−９７に移行して、情報をハードディスク等の外部記憶装置９に転送した後、ステップＳＴ−９７に移行する。
【００９６】
ステップＳＴ−９８では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−９９に移行する。ステップＳＴ−９９では、移動体端末装置の移動時間と、その間の移動速度から、制御回路３のＣＰＵが移動体端末装置の移動距離を算出した後、ステップＳＴ−９９Ａに移行する。
【００９７】
ステップＳＴ−９９Ａでは、取得された現在時刻を基にして、優先レベルの識別子のレベル値（初期値レベルと同じ場合もあるし、異なる場合もある）を決定した後、ステップＳＴ−９９Ｂに移行する。
【００９８】
ステップＳＴ−９９Ｂでは、ステップＳＴ−９９Ａで決定された優先レベルの識別子のレベル値Ｌが、Ｌ≦Ｌ１か否かを判別し、ＹＥＳのときは、ステップＳＴ−９９Ｃに移行して、外部記録装置における情報を削除し、ＮＯときは、ステップＳＴ−９８に移行する。ステップＳＴ−９９Ｃの後は、ステップＳＴ−９１に戻る。
【００９９】
ステップＳＴ−９７で情報を、外部記憶装置９に転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１０のフローチャートにおいて、ステップＳＴ−９１〜ＳＴ−９７における順次の隣接する処理の間のいずれかに挿入し、ＹＥＳのときは、順次のステップＳＴ−９２〜ＳＴ−９７のいずれかに移行し、ＮＯのときは、ステップＳＴ−９１の直後に移行する。図１６の判別処理のステップＳＴ−Ｘを、ステップＳＴ−９２及びＳＴ−９３間に挿入した場合は、ステップＳＴ−９６においてＮＯのときは、ステップＳＴ−Ｘに戻るようにする。
【０１００】
図１０の場合の具体例を説明する。地域Ａにおける飲食店ａの情報（画像）が、記憶装置４に記憶されている場合において、この飲食店ａの情報の優先レベルの識別子の初期レベル値を１０とし、地域Ａからある程度離れた地域Ｂにおける飲食店ａの情報の優先レベルの識別子のレベル値を５に決定し、地域Ａから地域Ｂより離れた地域Ｃにおける飲食店ａの情報の優先レベルの識別子のレベル値を２に決定し、閾値レベルＬ２、Ｌ１をそれぞれ６、３とする。かくすると、記憶装置４に記憶されている飲食店ａの情報の優先レベルの識別子のレベル値が５になったときは、その飲食店ａの情報は外部記憶装置９に転送され、飲食店ａの情報の優先レベルの識別子のレベル値が２になったときは、その外部記憶装置９に記憶されている飲食店ａの情報は、削除される。
【０１０１】
地域Ａにおける同じ種類の情報、即ち、例えば、飲食店ａ、ｂ、ｃ、‥‥‥‥‥‥、ｘ、ｙ、ｚの情報が、記憶装置４に記憶されている場合において、この飲食店ａ、ｂ、ｃ、‥‥‥‥‥‥、ｘ、ｙ、ｚの情報の優先レベルの識別子の初期レベル値を共に１０とし、地域Ａからある程度離れた地域Ｂにおける飲食店ａ、ｂ、ｃ、‥‥‥‥‥‥、ｘ、ｙ、ｚの情報の優先レベルの識別子のレベル値を５に決定し、地域Ａから地域Ｂより離れた地域Ｃにおける飲食店ａ、ｂ、ｃ、‥‥‥‥‥‥、ｘ、ｙ、ｚの情報の優先レベルの識別子のレベル値を２に決定し、閾値レベルＬ２、Ｌ１をそれぞれ６、３とする。かくすると、記憶装置４に記憶されている飲食店ａ、ｂ、ｃ、‥‥‥‥‥‥、ｘ、ｙ、ｚの情報の優先レベルの識別子のレベル値が５になったときは、その飲食店ａ、ｂ、ｃ、‥‥‥‥‥‥、ｘ、ｙ、ｚの情報は外部記憶装置９に転送され、飲食店ａの情報の優先レベルの識別子のレベル値が２になったときは、その外部記憶装置９に記憶されている飲食店ａ、ｂ、ｃ、‥‥‥‥‥‥、ｘ、ｙ、ｚの情報は、削除される。
【０１０２】
次に、図１１Ａのフローチャートを参照して、記憶装置４に記憶されている情報を削除しようとする場合の、情報が重要であるか否か、即ち、情報の重要度を、移動体端末装置の位置及び制御情報に応じた優先レベルの識別子で表し、優先レベルの識別子のレベル値が閾値以下のときは、その情報を削除するようにした情報の削除の例を説明する。
【０１０３】
ステップＳＴ−１０１では、キーボード８の記憶キーを操作し、制御回路３の制御の下に、必要な情報を記憶装置４に書き込んで記憶させた後、ステップＳＴ−１０２に移行する。ステップＳＴ−１０１では、記憶装置４に情報を記憶させたときの移動体端末装置の位置を、ＧＰＳ受信処理回路６から取得して、記憶装置４に記憶しておく。ステップＳＴ−１０２では、記憶装置４に書き込んだ情報の優先レベルの識別子を初期値（初期レベル値）に設定すると共に、制御情報を付与した後、ステップＳＴ−１０３に移行する。
【０１０４】
ステップＳＴ−１０３では、移動体端末装置の位置を、ＧＰＳ受信処理回路６から取得した後、ステップＳＴ−１０４に移行する。ステップＳＴ−１０４では、取得された移動体端末装置の位置及び制御情報を基にして、優先レベルの識別子のレベル値（初期値レベルと同じ場合もあるし、異なる場合もある）を決定した後、ステップＳＴ−１０５に移行する。
【０１０５】
ステップＳＴ−１０５では、ステップＳＴ−１０４で決定された優先レベルの識別子のレベル値が、閾値以下か否かを判断し、ＮＯ、即ち、閾値を越えるときは、ステップＳＴ−１０３に戻り、ＹＥＳ、即ち、閾値以下のときは、ステップＳＴ−１０６に移行して、その情報を削除した後、ステップＳＴ−４１に戻る。以下、これを繰り返す。
【０１０６】
ステップＳＴ−１０６で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１１Ａのフローチャートにおいて、ステップＳＴ−１０１、ＳＴ−１０２間、ステップＳＴ−１０２、ＳＴ−１０３間、ステップＳＴ−１０３、ＳＴ−１０４間、ステップＳＴ−１０４、ＳＴ−１０５間又はステップＳＴ−１０５、ＳＴ−１０６間に挿入し、ＹＥＳのときは、ステップＳＴ−１０２、ＳＴ−１０３、ＳＴ−１０４、ＳＴ−１０５又はＳＴ−１０６に移行し、ＮＯのときは、ステップＳＴ−１０１の直後に移行する。図１６の判別処理のステップＳＴ−Ｘを、ステップＳＴ−１０２及びＳＴ−１０３間に挿入した場合は、ステップＳＴ−１０５においてＮＯのときは、ステップＳＴ−Ｘに戻るようにする。
【０１０７】
次に、図１１Ａにおける情報の具体例について述べる。ある地域Ａのある飲食店ａの情報（画像）が記憶装置４に記憶されたときの優先レベルの識別子を初期レベル値を、例えば、１０に設定する。そして、移動体端末装置を持っている人が、その地域Ａから、所定距離以上離れた別の地域Ｂにいる場合、その地域Ａの飲食店ａの情報に対応する優先レベルの識別子のレベル値を、例えば、４に決定する。優先レベルの識別子の閾値レベルを、例えば、５とすると、その地域Ａの飲食店ａの情報は記憶装置４から削除されることになる。
【０１０８】
飲食店ａの情報が重要で、記憶装置４から削除されないようにするために、制御情報を１０とし、優先レベルの識別子の初期レベル値に加算するものとする。かくすると、移動体端末装置を持っている人が、その地域Ａから、所定距離以上離れた別の地域Ｂにいる場合、その地域Ａの飲食店ａの情報に対応する優先レベルの識別子のレベル値を、例えば、４（又は０）に決定したとき、実際のレベル値は１４（又は１０）になる。優先レベルの識別子の閾値レベルを、例えば、５とすると、その地域Ａの飲食店ａの情報は、いずれの場合も、記憶装置４から削除されることはない。
【０１０９】
記憶装置４に記憶されているある地域Ａの飲食店ａ、ｂ、ｃ、‥‥‥‥‥‥ｘ、ｙ、ｚの情報が複数ある場合は、これらの情報の優先レベルの識別子を初期レベル値としての、同じ例えば、１０に設定し、飲食店ａの情報のみに、制御情報１０と付与し、他の情報には制御情報を付与しないものとする。そして、移動体端末装置を持っている人が、その地域Ａから、所定距離以上離れた別の地域Ｂにいる場合、その地域Ａの飲食店ｂ、ｃ、‥‥‥‥‥‥ｘ、ｙ、ｚの情報に対応する優先レベルの識別子のレベル値を、共に例えば、４に決定する。この場合、優先レベルの識別子の閾値レベルを、例えば、５とすると、その地域Ａの飲食店ｂ、ｃ、‥‥‥‥‥‥ｘ、ｙ、ｚの情報は、共に削除されるが、飲食店ａの情報の優先レベルの識別子のレベル値は１４となるので、飲食店ａの情報は削除されない。
【０１１０】
次に、図１１Ｂのフローチャートを参照して、記憶装置４に記憶されている情報を削除しようとする場合の、情報が重要であるか否か、即ち、情報の重要度を、移動体端末装置の現在時刻及び制御情報に応じた優先レベルの識別子で表し、優先レベルの識別子のレベル値が閾値以下のときは、その情報を削除するようにした情報の削除の例を説明する。
【０１１１】
ステップＳＴ−１１１では、キーボード８の記憶キーを操作し、制御回路３の制御の下に、必要な情報を記憶装置４に書き込んで記憶させた後、ステップＳＴ−１１２に移行する。ステップＳＴ−１１１では、記憶装置４に情報を記憶したときの時刻を、移動体端末装置の時計手段から得て、記憶装置４に記憶しておく。ステップＳＴ−１１２では、記憶装置４に書き込んだ情報の優先レベルの識別子を初期値（初期レベル値）に設定し、制御情報を付与した後、ステップＳＴ−１１３に移行する。
【０１１２】
ステップＳＴ−１１３では、移動体端末装置の時計手段から、現在時刻を取得した後、ステップＳＴ−１１４に移行する。
【０１１３】
ステップＳＴ−１１４では、取得された現在時刻及び制御情報を基にして、優先レベルの識別子のレベル値（初期値レベルと同じ場合もあるし、異なる場合もある）を決定した後、ステップＳＴ−１１５に移行する。
【０１１４】
ステップＳＴ−１１５では、ステップＳＴ−１１４で決定された優先レベルの識別子のレベル値が、閾値以下か否かを判断し、ＮＯ、即ち、閾値を越えるときは、ステップＳＴ−１１３に戻り、ＹＥＳ、即ち、閾値以下のときは、ステップＳＴ−１１６に移行して、その情報を削除した後、ステップＳＴ−１１１に戻る。以下、これを繰り返すものである。
【０１１５】
ステップＳＴ−１１６で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１１Ｂのフローチャートにおいて、ステップＳＴ−１１１、ＳＴ−１１２間、ステップＳＴ−１１２、ＳＴ−１１３間、ステップＳＴ−１１３、ＳＴ−１１４間、ステップＳＴ−１１４、ＳＴ−１１５間又はステップＳＴ−１１５、ＳＴ−１１６間に挿入し、ＹＥＳのときは、ステップＳＴ−１１２、ＳＴ−１１３、ＳＴ−１１４、ＳＴ−１１５又はＳＴ−１１６に移行し、ＮＯのときは、ステップＳＴ−１１１の直後に移行する。図１６の判別処理のステップＳＴ−Ｘを、ステップＳＴ−１１２及びＳＴ−１１３間に挿入した場合は、ステップＳＴ−１１５においてＮＯのときは、ステップＳＴ−Ｘに戻るようにする。
【０１１６】
次に、図１１Ｂにおける情報の具体例について述べる。時刻Ｈに、インターネットから取得したニュース情報（画像）ｈが記憶装置４に記憶され、その時の優先レベルのレベル値の初期値（初期レベル値）を、例えば、１０とした場合に、制御情報を０としたときは、現在時刻が時刻Ｈから２４時間以上経過しているときは、そのニュース情報の優先レベルのレベル値を、例えば、４に決定し、閾値レベルを、例えば、５とすると、そのニュース情報は、記憶装置４から削除される。
【０１１７】
時刻Ｈに、インターネットから取得したニュース情報（画像）ｈが記憶装置４に記憶され、その時の優先レベルのレベル値の初期値（初期レベル値）を、例えば、１０とし、制御情報を１０としたときは、現在時刻が時刻Ｈから２４時間以上経過しているときは、そのニュース情報の優先レベルのレベル値を、例えば、４（又は０）とすると、実際の値は１４（又は１０）となり、閾値レベルを、例えば、５とすると、そのニュース情報は、いずれも、記憶装置４から削除されることはない。
【０１１８】
時刻Ｈ1 、Ｈ2 、Ｈ3 、‥‥‥‥‥‥、Ｈｎにおいて取得したニュース情報ｈ1 、ｈ2 、ｈ3 、‥‥‥‥‥‥、ｈｎが記憶装置４に記憶され、その時の優先レベルのレベル値の初期値（初期レベル値）を、例えば、１０とし、ニューズ情報ｈ1 のみに、制御情報１０付与した場合に、現在時刻が時刻Ｈから２４時間以上経過しているときは、そのニュース情報の優先レベルのレベル値を、例えば、４に決定し、閾値レベルを、例えば、５とすると、そのニュース情報ｈ2 、ｈ3 、‥‥‥‥‥‥、ｈｎは、記憶装置４から削除されるが、ニュース情報ｈ1 の実際の優先レベルのレベル値は１４となるので、記憶装置から削除されることはない。
【０１１９】
次に、図１２のフローチャートを参照して、記憶装置４に記憶されている情報を削除しようとする場合の、情報が重要であるか否か、即ち、情報の重要度を、移動体端末装置の移動距離及び制御情報に応じた優先レベルの識別子で表し、優先レベルの識別子のレベル値が閾値以下のときは、その情報を削除するようにした情報の削除の例を説明する。
【０１２０】
ステップＳＴ−１２１では、キーボード８の記憶キーを操作し、制御回路３の制御の下に、必要な情報と、ＧＰＳ受信処理回路６か得た位置情報（緯度及び経度）及びそれに対応した時刻情報に基づいて、制御回路３のＣＰＵが演算して得た、情報を記憶装置４に記憶したときの時刻及び移動体端末装置の移動速度（移動速度の初期値）（初期移動速度）とを、記憶装置４に書き込んで記憶させた後、ステップＳＴ−１２２に移行する。ステップＳＴ−１２２では、記憶装置４に書き込んだ情報の優先レベルの識別子を初期値（初期レベル値）に設定した後、ステップＳＴ−１２３に移行する。
【０１２１】
ステップＳＴ−１２３では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−１２４に移行する。ステップＳＴ−１２４では、移動体端末装置の移動時間と、その間の移動速度から、制御回路３のＣＰＵが移動体端末装置の移動距離を算出した後、ステップＳＴ−１２５に移行する。
【０１２２】
ステップＳＴ−１２５では、取得された移動距離及び制御情報を基にして、優先レベルの識別子のレベル値（初期値レベルと同じ場合もあるし、異なる場合もある）を決定した後、ステップＳＴ−１２６に移行する。
【０１２３】
ステップＳＴ−１２６では、ステップＳＴ−１２５で決定された優先レベルの識別子のレベル値が、閾値以下か否かを判断し、ＮＯ、即ち、閾値を越えるときは、ステップＳＴ−１２３に戻り、ＹＥＳ、即ち、閾値以下のときは、ステップＳＴ−１２７に移行して、記憶装置４からその情報を削除した後、ステップＳＴ−６１に戻る。以下、これを繰り返すものである。
【０１２４】
ステップＳＴ−１２７で情報を削除するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１２のフローチャートにおいて、ステップＳＴ−１２１、ＳＴ−１２２間、ステップＳＴ−１２２、ＳＴ−１２３間、ステップＳＴ−１２３、ＳＴ−１２４間、ステップＳＴ−１２４、ＳＴ−１２５間、ステップＳＴ−１２５、ＳＴ−１２６間又はステップＳＴ−１２６、ＳＴ−１２７間に挿入し、ＹＥＳのときは、ステップＳＴ−１２２、ＳＴ−１２３、ＳＴ−１２４、ＳＴ−１２５、ＳＴ−１２６又はＳＴ−１２７に移行し、ＮＯのときは、ステップＳＴ−１２１の直後に移行する。図１６の判別処理のステップＳＴ−Ｘを、ステップＳＴ−１２２及びＳＴ−１２３間に挿入した場合は、ステップＳＴ−１２６においてＮＯのときは、ステップＳＴ−Ｘに戻るようにする。
【０１２５】
次に、図１２における情報の具体例について述べる。ある地域Ａのある飲食店ａの情報（画像）が、その地域のある固定情報端末装置から取得されて、記憶装置４に記憶され、その優先レベルの識別子の初期値レベルを１０に設定する。その移動体端末装置を持っている人が、その地域Ａから、所定距離以上離れた別の地域Ｂにいる場合、その地域Ａの飲食店ａの情報の優先レベルの識別子のレベル値を４に決定し、制御情報は０とする。そして、優先レベルの識別子の閾値レベルを５とする。この場合は、飲食店ａの情報の優先レベルの識別子のレベル値が４のときは、その情報は記憶装置４から削除される。
【０１２６】
ある地域Ａのある飲食店ａの情報（画像）が、その地域のある固定情報端末装置から取得されて、記憶装置４に記憶され、その優先レベルの識別子の初期値レベルを１０に設定する。その移動体端末装置を持っている人が、その地域Ａから、所定距離以上離れた別の地域Ｂにいる場合、その地域Ａの飲食店ａの情報の優先レベルの識別子のレベル値を４に決定し、制御情報は１０とする。そして、優先レベルの識別子の閾値レベルを５とする。この場合は、飲食店ａの情報の優先レベルの識別子のレベル値が４（又は０）のときは、実際のレベル値は１４（又は１０）になるので、その情報は記憶装置４から削除されことはない。
【０１２７】
記憶装置４に記憶されているある地域Ａの飲食店ａ、ｂ、ｃ、‥‥‥‥‥‥ｘ、ｙ、ｚの情報が複数ある場合は、これあの優先レベルの初期レベルを１０とする。そして、情報ａに対しては、制御情報を１０として、その他の情報に対しては、制御情報を０とする。この場合は、飲食店ａ、ｂ、ｃ、‥‥‥‥‥‥ｘ、ｙ、ｚの情報の優先レベルの識別子のレベル値が４のときは、飲食店ｂ、ｃ、‥‥‥‥‥‥ｘ、ｙ、ｚの情報のレベル値は４なので、記憶装置４から削除されるが、飲食店ａの情報は、実際のレベル値１４になるので、記憶装置から削除されることはない。
【０１２８】
次に、図１３のフローチャートを参照して、記憶装置４に記憶されている情報を削除しようとする場合の情報の重要度を、移動体端末装置の位置及び制御情報に応じた優先レベルの識別子で表し、優先レベルの識別子のレベル値が低いときは、その情報を外部記憶装置に転送し、もっと低いときはその情報を削除するようにした情報の削除の例を説明する。
【０１２９】
ステップＳＴ−１３１では、キーボード８の記憶キーを操作し、制御回路３の制御の下に、必要な情報を記憶装置４に書き込んで記憶させた後、ステップＳＴ−１３２に移行する。ステップＳＴ−１３１では、記憶装置４に情報を記憶させたときの移動体端末装置の位置を、ＧＰＳ受信処理回路６から取得して、記憶装置４に記憶しておく。ステップＳＴ−１３２では、記憶装置４に書き込んだ情報の優先レベルの識別子を初期値（初期レベル値）に設定すると共に、制御情報を付与した後、ステップＳＴ−１３３に移行する。
【０１３０】
ステップＳＴ−１３３では、移動体端末装置の位置を、ＧＰＳ受信処理回路６から取得した後、ステップＳＴ−１３４に移行する。ステップＳＴ−１３４では、取得された移動体端末装置の位置及び制御情報を基にして、優先レベルの識別子のレベル値（初期値レベルと同じ場合もあるし、異なる場合もある）を決定した後、ステップＳＴ−１３５に移行する。
【０１３１】
ステップＳＴ−１３５では、ステップＳＴ−１３４で決定された優先レベルの識別子のレベル値Ｌが、Ｌ２≦Ｌか否かを判断し、ＹＥＳ、即ち、Ｌ２≦Ｌのときは、ステップＳＴ−１３３に戻り、ＮＯ、即ち、Ｌ＜Ｌ２のときは、ステップＳＴ−１３６に移行する。
【０１３２】
ステップＳＴ−１３６では、情報をハードディスク等の外部記憶装置に転送した後、ステップＳＴ−１３７に移行する。ステップＳＴ−１３７では、移動体端末装置の位置を、ＧＰＳ受信処理回路６から取得した後、ステップＳＴ−１３８に移行する。ステップＳＴ−１３８では、取得された移動体端末装置の位置及び制御情報を基にして、優先レベルの識別子のレベル値（初期値レベルと同じ場合もあるし、異なる場合もある）を決定した後、ステップＳＴ−１３９に移行する。
【０１３３】
ステップＳＴ−１３９では、識別子レベル値Ｌが、Ｌ≦Ｌ１か否かを判断し、ＮＯのときはステップＳＴ−１３７に戻り、ＹＥＳのときは、ステップＳＴ−１３９Ａに移行する。ステップＳＴ−１３９Ａでは、外部記憶装置に記憶されている情報を削除した後、ステップＳＴ−１３１に戻る。
【０１３４】
ステップＳＴ−１３６で情報を、外部記憶装置９に転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１３のフローチャートにおいて、ステップＳＴ−１３１〜ＳＴ−１３６における順次の隣接する処理の間のいずれかに挿入し、ＹＥＳのときは、順次のステップＳＴ−１３２〜ＳＴ−１３６のいずれかに移行し、ＮＯのときは、ステップＳＴ−１３１の直後に移行する。図１６の判別処理のステップＳＴ−Ｘを、ステップＳＴ−１３２及びＳＴ−１３３間に挿入した場合は、ステップＳＴ−１３５においてＮＯのときは、ステップＳＴ−Ｘに戻るようにする。
【０１３５】
次に、図１３における情報の具体例について述べる。ある地域Ａのある飲食店ａの情報（画像）が記憶装置４に記憶されたときの優先レベルの識別子を初期レベル値としての、例えば、１０に設定する。この場合、制御情報を０とする。そして、移動体端末装置を持っている人が、その地域Ａから、所定距離以上離れた別の地域Ｂにいる場合、その地域Ａの飲食店ａの情報に対応する優先レベルの識別子のレベル値を、例えば、５に決定し、地域Ａから、地域Ｂより離れた更に別の地域Ｃにいる場合、その地域Ａの飲食店ａの情報に対応する優先レベルの識別子のレベル値を、例えば、２に決定する。そして、優先レベルの識別値の閾値レベルＬ２、Ｌ１をそれぞれ６、３に設定したとき、移動体端末装置を持っている人が、その地域Ａから、所定距離以上離れた別の地域Ｂにいる場合は、ある地域Ａのある飲食店ａの情報は、外部記憶装置に転送され、移動体端末装置を持っている人が、地域Ａから、地域Ｂより離れた更に別の地域Ｃにいる場合、外部記憶装置に記憶されているある地域Ａのある飲食店ａの情報は、削除される。
【０１３６】
ある地域Ａのある飲食店ａの情報が記憶装置４に記憶されたときの優先レベルの識別子を初期レベル値としての、例えば、１０に設定する。この場合、制御情報を１０とする。そして、移動体端末装置を持っている人が、その地域Ａから、所定距離以上離れた別の地域Ｂにいる場合、その地域Ａの飲食店ａの情報に対応する優先レベルの識別子のレベル値を、例えば、５＋１０＝１５に決定し、地域Ａから、地域Ｂより離れた更に別の地域Ｃにいる場合、その地域Ａの飲食店ａの情報に対応する優先レベルの識別子のレベル値を、例えば、２＋１０＝１２に決定する。そして、優先レベルの識別値の閾値レベルＬ２、Ｌ１をそれぞれ６、３に設定したとき、移動体端末装置を持っている人が、その地域Ａから、所定距離以上離れた別の地域Ｂにいる場合は、ある地域Ａのある飲食店ａの情報は、記憶装置４に記憶されたままとなる。又、移動体端末装置を持っている人が、地域Ａから、地域Ｂより離れた更に別の地域Ｃにいる場合、外部記憶装置に記憶されているある地域Ａのある飲食店ａの情報も、記憶装置４に記憶されたままとなる。
【０１３７】
ある地域Ａのある飲食店ａ、ｂ、ｃ、‥‥‥‥‥‥、ｘ、ｙ、ｚの情報が記憶装置４に記憶されたときの優先レベルの識別子を初期レベル値としての、例えば、１０に設定する。そして、飲食店ａの情報に対し制御情報１０を付与し、残りの飲食店ａの情報に対しては制御情報０を付与するものとする。そして、移動体端末装置を持っている人が、その地域Ａから、所定距離以上離れた別の地域Ｂにいる場合、その地域Ａの飲食店ａ、ｂ、ｃ、‥‥‥‥‥‥、ｘ、ｙ、ｚの情報に対応する優先レベルの識別子のレベル値を、例えば、５に決定し、地域Ａから、地域Ｂより離れた更に別の地域Ｃにいる場合、その地域Ａの飲食店ａの情報に対応する優先レベルの識別子のレベル値を、例えば、２に決定する。そして、優先レベルの識別値の閾値レベルＬ２、Ｌ１をそれぞれ６、３に設定したとき、移動体端末装置を持っている人が、その地域Ａから、所定距離以上離れた別の地域Ｂにいる場合は、ある地域Ａのある飲食店ｂ、ｃ、‥‥‥‥‥‥、ｘ、ｙ、ｚの情報は、共に外部記憶装置に転送されるが、飲食店ａの情報は、記憶装置４に記憶されたままである。移動体端末装置を持っている人が、地域Ａから、地域Ｂより離れた更に別の地域Ｃにいる場合、外部記憶装置に記憶されているある地域Ａのある飲食店ｂ、ｃ、‥‥‥‥‥‥、ｘ、ｙ、ｚの情報は、共に削除されるが、飲食店ａの情報は、記憶装置４に記憶されたままとなる。
【０１３８】
次に、図１４のフローチャートを参照して、記憶装置４に記憶されている情報を削除しようとする場合の情報の重要度を、移動体端末装置の時刻及び制御情報に応じた優先レベルの識別子で表し、優先レベルの識別子のレベル値が低いときは、その情報を外部記憶装置に転送し、もっと低いときはその情報を削除するようにした情報の削除の例を説明する。
【０１３９】
ステップＳＴ−１４１では、キーボード８の記憶キーを操作し、制御回路３の制御の下に、必要な情報を記憶装置４に書き込んで記憶させた後、ステップＳＴ−１４２に移行する。ステップＳＴ−８１では、記憶装置４に情報を記憶したときの時刻を、移動体端末装置の時計手段から得て、記憶装置４に記憶しておく。ステップＳＴ−１４２では、記憶装置４に書き込んだ情報の優先レベルの識別子を初期値（初期レベル値）に設定し、又、制御情報を付与した後、ステップＳＴ−１４３に移行する。
【０１４０】
ステップＳＴ−１４３では、移動体端末装置の時計手段から、現在時刻を取得した後、ステップＳＴ−１４４に移行する。
【０１４１】
ステップＳＴ−１４４では、取得された現在時刻及び制御情報を基にして、優先レベルの識別子のレベル値（初期値レベルと同じ場合もあるし、異なる場合もある）を決定した後、ステップＳＴ−１４５に移行する。
【０１４２】
ステップＳＴ−１４５では、ステップＳＴ−１３４で決定された優先レベルの識別子のレベル値Ｌが、Ｌ２≦Ｌか否かを判断し、ＹＥＳ、即ち、Ｌ２≦Ｌのときは、ステップＳＴ−１４３に戻り、ＮＯ、即ち、Ｌ＜Ｌ２のときは、ステップＳＴ−１４６に移行する。
【０１４３】
ステップＳＴ−１４６では、情報をハードディスク等の外部記憶装置に転送した後、ステップＳＴ−１４７に移行する。ステップＳＴ−１４７では、現在時刻を取得した後、ステップＳＴ−１４８に移行する。
【０１４４】
ステップＳＴ−１４８では、取得された現在時刻及び制御情報を基にして、優先レベルの識別子のレベル値（初期値レベルと同じ場合もあるし、異なる場合もある）を決定した後、ステップＳＴ−１４９に移行する。
【０１４５】
ステップＳＴ−１４９では、ステップＳＴ−１４８で決定された優先レベルの識別子のレベル値Ｌが、Ｌ≦Ｌ１か否かを判断し、ＹＥＳ、即ち、Ｌ≦Ｌ１のときは、ステップＳＴ−１４９Ａに移行し、ＮＯ、即ち、Ｌ１＜Ｌのとは、ステップＳＴ−１４７に移行する。
【０１４６】
ステップＳＴ−１４９Ａでは、外部記憶装置に記憶されている情報を削除した後、ステップＳＴ−１４１に戻る。
【０１４７】
ステップＳＴ−１４６で情報を外部記憶装置９に転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１４のフローチャートにおいて、ステップＳＴ−１４１〜ＳＴ−１４６における順次の隣接する処理の間のいずれかに挿入し、ＹＥＳのときは、順次のステップＳＴ−１４２〜ＳＴ−１４６のいずれかに移行し、ＮＯのときは、ステップＳＴ−１４１の直後に移行する。図１６の判別処理のステップＳＴ−Ｘを、ステップＳＴ−１４２及びＳＴ−１４３間に挿入した場合は、ステップＳＴ−１４５においてＮＯのときは、ステップＳＴ−Ｘに戻るようにする。
【０１４８】
次に、図１４における情報の具体例について述べる。時刻Ｈに、インターネットから取得したニュース情報（画像）ｈが記憶装置４に記憶され、その時の優先レベルのレベル値の初期値（初期レベル値）を、例えば、１０とし、制御情報を０にした場合に、現在時刻が時刻Ｈから２４時間以上経過しているときは、そのニュース情報の優先レベルのレベル値を、例えば、５に決定し、現在時刻が時刻Ｈから３６時間以上経過しているときは、そのニュース情報の優先レベルのレベル値を、例えば、２に決定し、閾値レベルＬ１、Ｌ１を、それぞれ、例えば、６、３に設定する。かくすると、ニュース情報の優先レベルのレベル値が、例えば、５のときは、そのニュース情報は、外部記憶装置に転送される。又、ニュース情報の優先レベルのレベル値が、例えば、２になったら、そのニュース情報は外部記憶装置から削除される。
【０１４９】
時刻Ｈに、インターネットから取得したニュース情報（画像）ｈが記憶装置４に記憶され、その時の優先レベルのレベル値の初期値（初期レベル値）を、例えば、１０とし、制御情報を１０にした場合に、現在時刻が時刻Ｈから２４時間以上経過しているときは、そのニュース情報の優先レベルのレベル値を、例えば、５に決定し、現在時刻が時刻Ｈから３６時間以上経過しているときは、そのニュース情報の優先レベルのレベル値を、例えば、２に決定し、閾値レベルＬ１、Ｌ１を、それぞれ、例えば、６、３に設定する。かくすると、ニュース情報の優先レベルのレベル値が、例えば、１５のときは、そのニュース情報は、記憶装置４に記憶されたままである。又、ニュース情報の優先レベルのレベル値が、例えば、１２になったときも、そのニュース情報は記憶装置４に記憶されたままとなる。
【０１５０】
時刻Ｈ1 、Ｈ2 、Ｈ3 、‥‥‥‥‥‥、Ｈｎにおいて取得したニュース情報ｈ1 、ｈ2 、ｈ3 、‥‥‥‥‥‥、ｈｎが記憶装置４に記憶され、その時の優先レベルのレベル値の初期値（初期レベル値）を、例えば、１０とし、ニュース情報ｈ1 対する制御情報を１０に設定し、残りのニュース情報に対する制御情報０にした場合に、現在時刻が時刻Ｈから２４時間以上経過しているときは、そのニュース情報の優先レベルのレベル値を、例えば、５に決定し、現在時刻が時刻Ｈから３６時間以上経過しているときは、そのニュース情報の優先レベルのレベル値を、例えば、２に決定し、優先レベルの識別子の閾値レベルＬ２、Ｌ１を、それぞれ６、３に設定する。かくすると、ニュース情報ｈ2 、ｈ3 、‥‥‥‥‥‥、ｈｎの優先レベルのレベル値が、例えば、５のときは、そのニュース情報ｈ2 、ｈ3 、‥‥‥‥‥‥、ｈｎは、外部記憶装置に転送されるが、ニュース情報ｈ1 は記憶装置４に記憶されたままとなる。又、ニュース情報ｈ2 、ｈ3 、‥‥‥‥‥‥、ｈｎの優先レベルのレベル値が、例えば、２になったら、そのニュース情報ｈ2 、ｈ3 、‥‥‥‥‥‥、ｈｎは外部記憶装置から削除されるが、ニュース情報ｈ1 は記憶装置４に記憶されたままとなる。
【０１５１】
次に、図１５のフローチャートを参照して、記憶装置４に記憶されている情報を削除しようとする場合の情報の重要度を、移動体端末装置の移動距離及び制御情報に応じた優先レベルの識別子で表し、優先レベルの識別子のレベル値が低いときは、その情報を外部記憶装置に転送し、もっと低いときはその情報を削除するようにした情報の削除の例を説明する。
【０１５２】
ステップＳＴ−１５１では、キーボード８の記憶キーを操作し、制御回路３の制御の下に、必要な情報と、ＧＰＳ受信処理回路６か得た位置情報（緯度及び経度）及びそれに対応した時刻情報に基づいて、制御回路３のＣＰＵが演算して得た、情報を記憶装置４に記憶したときの時刻及び移動体端末装置の移動速度（移動速度の初期値）（初期移動速度）とを、を記憶装置４に書き込んで記憶させた後、ステップＳＴ−１５２に移行する。ステップＳＴ−１５２では、記憶装置４に書き込んだ情報の優先レベルの識別子を初期値（初期レベル値）に設定すると共に、制御情報を付与した後、ステップＳＴ−１５３に移行する。
【０１５３】
ステップＳＴ−１５３では、ＧＰＳ受信処理回路６からの位置情報及びその位置情報に対応した時刻情報に基づいて、制御回路３のＣＰＵが、記憶装置４に情報を記憶した時刻から現在の時刻（所定時間毎の時刻）までの移動体端末装置の移動時間と、その間の移動速度を演算して取得した後、ステップＳＴ−１５４に移行する。ステップＳＴ−１５４では、移動体端末装置の移動時間と、その間の移動速度から、制御回路３のＣＰＵが移動体端末装置の移動距離を算出した後、ステップＳＴ−１５５に移行する。
【０１５４】
ステップＳＴ−１５５では、移動体端末装置の移動距離及び制御情報を基にして、優先レベルの識別子のレベル値（初期値レベルと同じ場合もあるし、異なる場合もある）を決定した後、ステップＳＴ−１５６に移行する。
【０１５５】
ステップＳＴ−１５６では、ステップＳＴ−１５５で決定された優先レベルの識別子のレベル値Ｌが、Ｌ２≦Ｌか否かを判別し、ＹＥＳのときは、ステップＳＴ−１５３に戻り、ＮＯのときはステップＳＴ−１５７に移行して、情報をハードディスク等の外部記憶装置に転送した後、ステップＳＴ−１５８に移行する。
【０１５６】
ステップＳＴ−１５８では、ＧＰＳ受信処理回路６からの位置情報（緯度及び経度）及びその位置情報に対応した時刻情報に基づいて、制御回路３のＣＰＵが、移動体端末装置が、情報を記憶装置４に記憶してからの移動体端末装置の移動時間と、その間の移動速度を取得した後、ステップＳＴ−１５９に移行する。ステップＳＴ−１５９では、移動体端末装置の移動時間と、その間の移動速度から、制御回路３のＣＰＵが移動体端末装置の移動距離を算出した後、ステップＳＴ−１５９Ａに移行する。
【０１５７】
ステップＳＴ−１５９Ａでは、移動体端末装置の移動距離及び制御情報を基にして、優先レベルの識別子のレベル値（初期値レベルと同じ場合もあるし、異なる場合もある）を決定した後、ステップＳＴ−１５９Ｂに移行する。
【０１５８】
ステップＳＴ−１５９Ｂでは、ステップＳＴ−１５９Ａで決定された優先レベルの識別子のレベル値Ｌが、Ｌ≦Ｌ１か否かを判別し、ＹＥＳのときは、ステップＳＴ−１５９Ｃに移行して、外部記録装置における情報を削除し、ＮＯときは、ステップＳＴ−１５８に移行する。ステップＳＴ−１５９Ｃの後は、ステップＳＴ−１５１に戻る。
【０１５９】
ステップＳＴ−１５７で情報を、外部記憶装置９に転送するのは、記憶装置４における記憶可能残領域が閾値容量より少ないことが前提である。そこで、図１６に示す、記憶装置４の記憶可能残領域は閾値領域より少ないか否かの判別処理のステップＳＴ−Ｘを、図１５のフローチャートにおいて、ステップＳＴ−１５１〜ＳＴ−１５７における順次の隣接する処理の間のいずれかに挿入し、ＹＥＳのときは、順次のステップＳＴ−１５２〜ＳＴ−１５７のいずれかに移行し、ＮＯのときは、ステップＳＴ−１５１の直後に移行する。図１６の判別処理のステップＳＴ−Ｘを、ステップＳＴ−１５２及びＳＴ−１５３間に挿入した場合は、ステップＳＴ−１５６においてＮＯのときは、ステップＳＴ−Ｘに戻るようにする。
【０１６０】
次に、図１５の場合の具体例について説明する。地域Ａにおける飲食店ａの情報（画像）が、記憶装置４に記憶されている場合において、この飲食店ａの情報の優先レベルの識別子の初期レベル値を１０とし、制御情報を０とし、地域Ａからある程度離れた地域Ｂにおける飲食店ａの情報の優先レベルの識別子のレベル値を５に決定し、地域Ａから地域Ｂより離れた地域Ｃにおける飲食店ａの情報の優先レベルの識別子のレベル値を２に決定し、閾値レベルＬ２、Ｌ１をそれぞれ６、３とする。かくすると、記憶装置４に記憶されている飲食店ａの情報の優先レベルの識別子のレベル値が５になったときは、その飲食店ａの情報は外部記憶装置に転送され、飲食店ａの情報の優先レベルの識別子のレベル値が２になったときは、その外部記憶装置に記憶されている飲食店ａの情報は、削除される。
【０１６１】
地域Ａにおける飲食店ａの情報が、記憶装置４に記憶されている場合において、この飲食店ａの情報の優先レベルの識別子の初期レベル値を１０とし、制御情報を１０とし、地域Ａからある程度離れた地域Ｂにおける飲食店ａの情報の優先レベルの識別子のレベル値を５＋１０＝１５に決定し、地域Ａから地域Ｂより離れた地域Ｃにおける飲食店ａの情報の優先レベルの識別子のレベル値を２＋１０＝１２に決定し、閾値レベルＬ２、Ｌ１をそれぞれ６、３とする。かくすると、記憶装置４に記憶されている飲食店ａの情報の優先レベルの識別子のレベル値が１５になったときは、その飲食店ａの情報は記憶装置４に記憶されたままである。又、、飲食店ａの情報の優先レベルの識別子のレベル値が１２になったときは、その外部記憶装置に記憶されている飲食店ａの情報は、記憶装置４に記憶されたままとなる。
【０１６２】
地域Ａにおける飲食店ａ、ｂ、ｃ、‥‥‥‥‥‥、ｘ、ｙ、ｚの情報が、記憶装置４に記憶されている場合において、この飲食店ａ、ｂ、ｃ、‥‥‥‥‥‥、ｘ、ｙ、ｚの情報の優先レベルの識別子の初期レベル値を共に１０とし、飲食店ａの情報の制御情報を１０とし、残りの情報の制御情報を０とする。地域Ａからある程度離れた地域Ｂにおける飲食店ｂ、ｃ、‥‥‥‥‥‥、ｘ、ｙ、ｚの情報の優先レベルの識別子のレベル値を５に、情報ａのレベル値を１５に決定し、地域Ａから地域Ｂより離れた地域Ｃにおける飲食店ｂ、ｃ、‥‥‥‥‥‥、ｘ、ｙ、ｚの情報の優先レベルの識別子のレベル値を２に、情報ａのレベル値を１２に決定する。閾値レベルＬ２、Ｌ１をそれぞれ６、３とする。かくすると、記憶装置４に記憶されている飲食店ｂ、ｃ、‥‥‥‥‥‥、ｘ、ｙ、ｚの情報の優先レベルの識別子のレベル値が５になったときは、その飲食店ｂ、ｃ、‥‥‥‥‥‥、ｘ、ｙ、ｚの情報は外部記憶装置に転送されるが、情報ａは記憶装置４に記憶されたままとなる。記憶装置４に記憶されている飲食店ｂ、ｃ、‥‥‥‥‥‥、ｘ、ｙ、ｚの情報の優先レベルの識別子のレベル値が２になったときは、その飲食店ｂ、ｃ、‥‥‥‥‥‥、ｘ、ｙ、ｚの情報は削除されるが、飲食店ａの情報は記憶装置４に記憶されたままとなる。
【０１６３】
【発明の効果】
第１の発明によれば、情報を記憶する記憶手段と、その記憶手段への情報の記憶及びその記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定し、その後所定時刻毎に、その情報が記憶された時点からの記憶制御装置（又は移動体端末装置）（又は移動体通信端末装置）の位置の変化の程度又は移動距離に応じて、初期レベル値を基準とした優先レベルの識別子のレベル値を決定し、決定したレベル値を所定の閾値と比較することにより、その情報が重要であるか否かを判別する判別手段とを有し、記憶手段における記憶可能残容量が閾値容量より少ない場合に、判別手段によって、記憶手段に記憶されている情報が重要でないと判別されたときは、その判別手段によって制御手段を制御して、その重要でないと判別された情報を削除するようにしたので、記憶手段に記憶されている情報が、その記憶時点の後の時点で重要であるか否かを自動的に判別して、記憶手段における記憶可能残容量が閾値容量より少ない場合には、その記憶時点の後の時点で重要でないと判別された情報を記憶手段から自動的に削除することのできる記憶制御装置（又は移動体端末装置）（又は移動体通信端末装置）を得ることができる。
【０１６５】
第２の発明によれば、情報を記憶する記憶手段及び外部記憶手段と、記憶手段への情報の記憶、その記憶手段に記憶されている情報の外部記憶手段への転送及びその外部記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定し、その後所定時刻毎に、その情報が記憶された時点からの記憶制御装置（又は移動体端末装置）（又は移動体通信端末装置）の位置の変化の程度又は移動距離に応じて、初期レベル値を基準とした優先レベルの識別子のレベル値を決定し、決定したレベル値を所定の閾値と比較することにより、その情報の重要度を判別する判別手段とを有し、記憶手段における記憶可能残容量が閾値容量より少ない場合に、判別手段によって、記憶手段に記憶されている情報の重要度が低いと判別されたときは、その重要度が低いと判別された情報を外部記憶手段に転送し、外部記憶手段に記憶されている情報の重要度が一層低いと判別されたときは、その重要度が一層低いと判別された情報を削除するようにしたので、記憶手段に記憶されている情報が、その記憶時点の後の時点で重要であるか否かを自動的に判別して、記憶手段における記憶可能残容量が閾値容量より少ない場合には、その記憶時点の後の時点で重要でないと判別された情報を記憶手段から自動的に削除することができると共に、記憶手段から削除された情報でも、重要度の低い一部の情報は、外部記憶手段から読出して参照することのできる記憶制御装置（又は移動体端末装置）（又は移動体通信端末装置）を得ることができる。
【０１６６】
第３の発明によれば、情報を記憶する記憶手段と、その記憶手段への情報の記憶及びその記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定するとともに初期レベル値に制御情報を付与し、その後所定時刻毎に、その情報が記憶された時点からの記憶制御装置（又は移動体端末装置）（又は移動体通信端末装置）の位置の変化の程度又は移動距離及び制御情報に応じて、初期レベル値を基準とした優先レベルの識別子のレベル値を決定し、決定したレベル値を所定の閾値と比較することにより、その情報が重要であるか否かを判別する判別手段とを有し、記憶手段における記憶可能残容量が閾値容量より少ない場合に、判別手段によって、記憶手段に記憶されている情報が重要でないと判別されたときは、その判別手段によって制御手段を制御して、その重要でないと判別された情報を削除するようにしたので、記憶手段に記憶されている情報が、その記憶時点の後の時点で重要であるか否かを自動的に判別して、記憶手段における記憶可能残容量が閾値容量より少ない場合には、その記憶時点の後の時点で重要でないと判別された情報を記憶手段から自動的に削除することができると共に、記憶手段に記憶されている情報が、その記憶時点の後の時点で重要であるか否かの判別を、記憶制御装置（又は移動体端末装置）（又は移動体通信端末装置）の記憶時点の後の時点での位置の変化の程度又は移動距離のみならず、制御情報によっても制御することのできる記憶制御装置（又は移動体端末装置）（又は移動体通信端末装置）を得ることができる。
【０１６７】
第４の発明によれば、情報を記憶する記憶手段及び外部記憶手段と、記憶手段への情報の記憶、その記憶手段に記憶されている情報の外部記憶手段への転送及びその外部記憶手段に記憶されている情報の削除を制御する制御手段とを有する記憶制御装置（又は移動体端末装置）（又は移動体通信端末装置）であって、記憶手段に情報が記憶された時点で、その情報の優先レベルの識別子を所定の初期レベル値に設定するとともに初期レベル値に制御情報を付与し、その後所定時刻毎に、その情報が記憶された時点からの記憶制御装置（又は移動体端末装置）（又は移動体通信端末装置）の位置の変化の程度又は移動距離及び制御情報に応じて、初期レベル値を基準とした優先レベルの識別子のレベル値を決定し、決定したレベル値を所定の閾値と比較することにより、その情報の重要度を判別する判別手段とを有し、記憶手段における記憶可能残容量が閾値容量より少ない場合に、判別手段によって、記憶手段に記憶されている情報の重要度が低いと判別されたときは、その重要度が低いと判別された情報を外部記憶手段に転送し、外部記憶手段に記憶されている情報の重要度が一層低いと判別されたときは、その重要度が一層低いと判別された情報を削除するようにしたので、記憶手段に記憶されている情報が、その記憶時点の後の時点で重要であるか否かを自動的に判別して、記憶手段における記憶可能残容量が閾値容量より少ない場合には、その記憶時点の後の時点で重要でないと判別された情報を記憶手段から自動的に削除することができると共に、記憶手段に記憶されている情報が、その記憶時点の後の時点で重要であるか否かの判別を、記憶制御装置（又は移動体端末装置）（又は移動体通信端末装置）の記憶時点の後の時点での位置の変化の程度又は移動距離のみならず、制御情報によっても制御することができ、しかも、記憶手段から削除された情報でも、重要度の低い一部の情報は、外部記憶手段から読出して参照することのできる記憶制御装置（又は移動体端末装置）（又は移動体通信端末装置）を得ることができる。
【図面の簡単な説明】
【図１】Ａ  従来の移動体端末装置の構成を示すブロック線図である。
Ｂ  その従来の情報削除の仕方を示すフローチャートである。
Ｃ  その従来の情報削除の別の仕方を示すフローチャートである。
【図２】本発明の実施の形態の移動体端末装置（記憶制御装置）（移動体通信端末装置）の一例を示すブロック線図である。
【図３】本発明の実施の形態の移動体端末装置（記憶制御装置）（移動体通信端末装置）の他の一例を示すブロック線図である。
【図４】Ａ  本発明の実施の形態の移動体端末装置（記憶制御装置）（移動体通信端末装置）における情報削除の仕方の一例を示すフローチャートである。
Ｂ  本発明の実施の形態の移動体端末装置（記憶制御装置）（移動体通信端末装置）における情報削除の仕方の他の一例を示すフローチャートである。
【図５】本発明の実施の形態の移動体端末装置（記憶制御装置）（移動体通信端末装置）における情報削除の仕方の更に他の一例を示すフローチャートである。
【図６】Ａ  本発明の実施の形態の移動体端末装置（記憶制御装置）（移動体通信端末装置）における優先レベルの識別子のレベル値に応じた情報の削除の仕方の一例を示すフローチャートである。
Ｂ  本発明の実施の形態の移動体端末装置（記憶制御装置）（移動体通信端末装置）における優先レベルの識別子のレベル値に応じた情報の削除の仕方の他の一例を示すフローチャートである。
【図７】本発明の実施の形態の移動体端末装置（記憶制御装置）（移動体通信端末装置）における優先レベルの識別子のレベル値に応じた情報の削除の仕方の更に他の一例を示すフローチャートである。
【図８】本発明の実施の形態の移動体端末装置（記憶制御装置）（移動体通信端末装置）における優先レベルの識別子のレベル値に応じた情報の外部記憶装置への転送及び削除の仕方の一例を示すフローチャートである。
【図９】本発明の実施の形態の移動体端末装置（記憶制御装置）（移動体通信端末装置）における優先レベルの識別子のレベル値に応じた情報の外部記憶装置への転送及び削除の仕方の他の一例を示すフローチャートである。
【図１０】本発明の実施の形態の移動体端末装置（記憶制御装置）（移動体通信端末装置）における優先レベルの識別子のレベル値に応じた情報の外部記憶装置への転送及び削除の仕方の更に他の一例を示すフローチャートである。
【図１１】Ａ  本発明の実施の形態の移動体端末装置（記憶制御装置）（移動体通信端末装置）における優先レベルの識別子のレベル値に応じた情報の削除の仕方の更に他の一例を示すフローチャートである。
Ｂ  本発明の実施の形態の移動体端末装置（記憶制御装置）（移動体通信端末装置）における優先レベルの識別子のレベル値に応じた情報の削除の仕方の更に他の一例を示すフローチャートである。
【図１２】本発明の実施の形態の移動体端末装置（記憶制御装置）（移動体通信端末装置）における優先レベルの識別子のレベル値に応じた情報の削除の仕方の更に他の一例を示すフローチャートである。
【図１３】本発明の実施の形態の移動体端末装置（記憶制御装置）（移動体通信端末装置）における優先レベルの識別子のレベル値に応じた情報の外部記憶装置への転送及び削除の仕方の更に他の一例を示すフローチャートである。
【図１４】本発明の実施の形態の移動体端末装置（記憶制御装置）（移動体通信端末装置）における優先レベルの識別子のレベル値に応じた情報の外部記憶装置への転送及び削除の仕方の更に他の一例を示すフローチャートである。
【図１５】本発明の実施の形態の移動体端末装置（記憶制御装置）（移動体通信端末装置）における優先レベルの識別子のレベル値に応じた情報の外部記憶装置への転送及び削除の仕方の更に他の一例を示すフローチャートである。
【図１６】各フローチャートに挿入される共通処理を示す図である。
【符号の説明】
１  無線通信アンテナ、２  無線通信処理回路、３  制御回路、４  記憶装置、５  ＧＰＳアンテナ、６  ＧＰＳ受信処理回路、７  表示装置、８  キーボード、９  外部記憶装置。
【図１】
0004779194.tif 000002
【図２】
0004779194.tif 000003
【図３】
0004779194.tif 000004
【図４】
0004779194.tif 000005
【図５】
0004779194.tif 000006
【図６】
0004779194.tif 000007
【図７】
0004779194.tif 000008
【図８】
0004779194.tif 000009
【図９】
0004779194.tif 000010
【図１０】
0004779194.tif 000011
【図１１】
0004779194.tif 000012
【図１２】
0004779194.tif 000013
【図１３】
0004779194.tif 000014
【図１４】
0004779194.tif 000015
【図１５】
0004779194.tif 000016
【図１６】
0004779194.tif 000017